(57)【要約】  続く染色サイクルにおいて、交差反応を防止するために、染色サイクル間で、抗体などのタンパク質性結合実体（ＰＢＥ）を不活性化するための方法、システム、組成物、および熱化学プロセス。熱化学法、組成物またはシステムは、試料を、緩衝剤を含む溶液中で、ＰＢＥのさらなる検出可能性を減少させるかまたは排除するために十分な温度でインキュベーションする工程を特徴とすることも可能である。方法、組成物、およびシステムは、緩衝剤および試薬を分配し、そして試料を多様な温度に加熱するように適応した、自動化染色デバイスにおける自動化アッセイに有益でありうる。
2018514766.tif 000002
【特許請求の範囲】
【請求項１】
単一の固体支持体上の同じ試料において、少なくとも２つのターゲットを検出するための自動化法であって：
ａ.  少なくとも第一の外因性タンパク質性結合実体（ＰＢＥ）と試料を、そのターゲット近傍に第一のＰＢＥの沈着を生じる方式で接触させ；
ｂ.  試薬と試料を、第一のＰＢＥの近傍に検出可能部分の特異的沈着を生じる方式で接触させ；そして
ｃ.  ５〜７のｐＨを持つクエン酸緩衝剤を含む溶液の体積と試料を接触させ、そして熱供給源と固体支持体を接触させ、ここで溶液の体積は、５μｌ／ｃｍ２〜５００μｌ／ｃｍ２の体積対表面積比で試料を覆い、クエン酸緩衝剤を含む溶液は、該クエン酸緩衝剤を含む溶液の沸点未満である出発緩衝剤温度である；そして
出発熱供給源温度から少なくともターゲット熱供給源温度まで、ある長さの時間に渡って熱供給源を加熱する、ここでクエン酸緩衝剤を含む溶液は、出発緩衝剤温度から第二の緩衝剤温度に上昇され、ターゲット熱供給源温度および第二の緩衝剤温度は、該クエン酸緩衝剤を含む溶液の沸点未満である
ことによって、試料を処理し、試料において、第一のＰＢＥがさらに検出される能力を減少させ；
ｄ.  少なくとも第二のＰＢＥで（ａ）および（ｂ）を反復し；そして
ｅ.  （ａ）および（ｂ）の各反復の間に（ｃ）を反復する；
ここで、（ｅ）の後、各検出可能部分は、ＰＢＥのターゲットの位置に対応する位置で、試料中で検出されることが可能である
工程を含む、前記方法。
【請求項２】
単一の固体支持体上の同じ試料において、少なくとも２つのターゲットを検出するための自動化法であって：
ａ.  少なくとも第一の外因性タンパク質性結合実体（ＰＢＥ）と試料を、そのターゲット近傍に第一のＰＢＥの沈着を生じる方式で接触させ；
ｂ.  試薬と試料を、第一のＰＢＥの近傍に検出可能部分の特異的沈着を生じる方式で接触させ；そして
ｃ.  クエン酸緩衝剤を含む溶液の体積と試料を接触させ、そして熱供給源と固体支持体を接触させ、ここでクエン酸緩衝剤を含む溶液は、該クエン酸緩衝剤を含む溶液の沸点未満である出発緩衝剤温度である；そして
出発熱供給源温度から少なくともターゲット熱供給源温度まで、ある長さの時間に渡って熱供給源を加熱する、ここで熱供給源からの熱が固体支持体および試料を加熱し、そして固体支持体および試料からの熱が緩衝剤を加熱し、クエン酸緩衝剤を含む溶液は、出発緩衝剤温度から第二の緩衝剤温度に上昇され、ターゲット熱供給源温度および第二の緩衝剤温度は、該クエン酸緩衝剤を含む溶液の沸点未満である
ことによって、試料を処理し、試料において、第一のＰＢＥがさらに検出される能力を減少させ；そして
ｄ.  少なくとも第二のＰＢＥで（ａ）および（ｂ）を反復し；そして
ｅ.  （ａ）および（ｂ）の各反復の間に（ｃ）を反復する；
ここで、（ｅ）の後、各検出可能部分は、ＰＢＥのターゲットの位置に対応する位置で、試料中で検出されることが可能である
工程を含む、前記方法。
【請求項３】
単一の固体支持体上の同じ試料において、少なくとも２つのターゲットを検出するための自動化法であって：
ａ.  少なくとも第一の外因性タンパク質性結合実体（ＰＢＥ）と試料を、そのターゲット近傍に第一のＰＢＥの沈着を生じる方式で接触させ；
ｂ.  試薬と試料を、第一のＰＢＥの近傍に検出可能部分の特異的沈着を生じる方式で接触させ；そして
ｃ.  ５〜６．５のｐＨを持つクエン酸緩衝剤を含む溶液の体積と試料を接触させ、そして熱供給源と固体支持体を接触させ、ここでクエン酸緩衝剤を含む溶液は、１８℃〜４２℃の出発緩衝剤温度である；そして
１８℃〜４２℃の出発熱供給源温度から少なくとも８０℃の少なくともターゲット熱供給源温度まで、ある長さの時間に渡って熱供給源を加熱する、ここでクエン酸緩衝剤を含む溶液は、出発緩衝剤温度から第二の緩衝剤温度に上昇され、ターゲット熱供給源温度および第二の緩衝剤温度は、該クエン酸緩衝剤を含む溶液の沸点未満である
ことによって、試料を処理し、試料において、第一のＰＢＥがさらに検出される能力を減少させ；
ｄ.  少なくとも第二のＰＢＥで（ａ）および（ｂ）を反復し；そして
ｅ.  （ａ）および（ｂ）の各反復の間に（ｃ）を反復する；
ここで、（ｅ）の後、各検出可能部分は、ＰＢＥのターゲットの位置に対応する位置で、試料中で検出されることが可能である
工程を含む、前記方法。
【請求項４】
単一の固体支持体上の同じ試料において、少なくとも２つのターゲットを検出するための自動化法であって：
ａ.  少なくとも第一の外因性タンパク質性結合実体（ＰＢＥ）と試料を、そのターゲット近傍に第一のＰＢＥの沈着を生じる方式で接触させ；
ｂ.  試薬と試料を、第一のＰＢＥの近傍に検出可能部分の特異的沈着を生じる方式で接触させ；そして
ｃ.  ５〜６．５のｐＨを持つクエン酸緩衝剤を含む溶液の体積と試料を接触させ、そして熱供給源と固体支持体を接触させ、ここでクエン酸緩衝剤を含む溶液は、１８℃〜４２℃の出発緩衝剤温度である；そして
１８℃〜４２℃の出発熱供給源温度から少なくとも８０℃の少なくともターゲット熱供給源温度まで、１分あたり５〜１５℃の速度で、ある長さの時間に渡って熱供給源を加熱する、ここでクエン酸緩衝剤を含む溶液は、出発緩衝剤温度から第二の緩衝剤温度に上昇され、ターゲット熱供給源温度および第二の緩衝剤温度は、該クエン酸緩衝剤を含む溶液の沸点未満である
ことによって、試料を処理し、試料において、第一のＰＢＥがさらに検出される能力を減少させ；
ｄ.  少なくとも第二のＰＢＥで（ａ）および（ｂ）を反復し；そして
ｅ.  （ａ）および（ｂ）の各反復の間に（ｃ）を反復する；
ここで、（ｅ）の後、各検出可能部分は、ＰＢＥのターゲットの位置に対応する位置で、試料中で検出されることが可能である
工程を含む、前記方法。
【請求項５】
熱供給源からの熱が固体支持体および試料を加熱し、そして固体支持体および試料からの熱が緩衝剤を加熱する、請求項１、３または４のいずれかの方法。
【請求項６】
熱供給源が熱パッドを含む、請求項１〜４のいずれかの方法。
【請求項７】
熱供給源が、固体支持体と直接接触する、請求項１〜４のいずれかの方法。
【請求項８】
クエン酸緩衝剤を含む溶液が５〜６．５のｐＨを有する、請求項１の方法。
【請求項９】
クエン酸緩衝剤を含む溶液が、５ｍＭ〜２０ｍＭのクエン酸濃度を有する、請求項１〜４のいずれかの方法。
【請求項１０】
クエン酸緩衝剤を含む溶液が、さらに界面活性剤を含む、請求項１〜４のいずれかの方法。
【請求項１１】
界面活性剤が、ドデシル硫酸ナトリウム（ＳＤＳ）、ラウリル硫酸ナトリウム（ＳＬＳ）、ドデシル硫酸アンモニウム（ＡＤＳ）、ドデシル硫酸水素（ＨＤＳ）、およびドデシル硫酸ｔｒｉｓ（ヒドロキシメチル）アミノメタンを含む、請求項１０の方法。
【請求項１２】
溶液の体積が独立したパドル（ｆｒｅｅｓｔａｎｄｉｎｇ  ｐｕｄｄｌｅ）である、請求項１〜４のいずれかの方法。
【請求項１３】
溶液の体積が、５μｌ／ｃｍ２〜５００μｌ／ｃｍ２の体積対表面積比で、試料を覆う、請求項２〜４のいずれかの方法。
【請求項１４】
試料が工程（ｃ）の後、洗い流される、請求項１〜４のいずれかの方法。
【請求項１５】
出発緩衝剤温度が１８℃〜４２℃である、請求項１または請求項２の方法。
【請求項１６】
出発熱供給源温度が１８℃〜４２℃である、請求項１または請求項２の方法。
【請求項１７】
ターゲット熱供給源温度が少なくとも８０℃である、請求項１または請求項２の方法。
【請求項１８】
熱供給源が、出発熱供給源温度から少なくともターゲット熱供給源温度まで、１分あたり５〜１５℃の速度で加熱される、請求項１〜３のいずれかの方法。
【請求項１９】
熱供給源が、ターゲット熱供給源温度にまたはそれより高い温度に、少なくとも１５秒間ある、請求項１〜４のいずれかの方法。
【請求項２０】
熱供給源が、ターゲット熱供給源温度にまたはそれより高い温度に、少なくとも１分間ある、請求項１〜４のいずれかの方法。
【請求項２１】
熱供給源が出発熱供給源から少なくともターゲット熱供給源温度に加熱される時間の長さが、少なくとも３分間である、請求項１〜４のいずれかの方法。
【請求項２２】
（ｄ）において、少なくとも第二のＰＢＥのターゲットへの結合が妨げられない方式で、（ｃ）を行う、請求項１〜４のいずれかの方法。
【請求項２３】
訓練を受けた読み取り者によって決定されるように、試料形態が許容されうるままであるように、（ｃ）が試料の品質を維持する、請求項１〜４のいずれかの方法。
【請求項２４】
試料をマイクロ波処理に供しない、請求項１〜４のいずれかの方法。
【請求項２５】
ホルムアルデヒド蒸気処理をしない、請求項１〜４のいずれかの方法。
【請求項２６】
第一のＰＢＥが第一の一次抗体を含み、そして（ｂ）が、試料を、第一の一次抗体に特異的な第一の二次抗体と、第一の一次抗体近傍に第一の二次抗体の特異的沈着を生じる方式でインキュベーションする工程を含み；そして第二のＰＢＥが第二の一次抗体を含み、そして（ｄ）が、試料を、第二の一次抗体に特異的な第二の二次抗体と、第二の一次抗体近傍に第二の二次抗体の特異的沈着を生じる方式でインキュベーションする工程を含む、請求項１〜４のいずれかの方法。
【請求項２７】
第一の一次抗体がタグを含む、請求項２６の方法。
【請求項２８】
第一の二次抗体が、第一の一次抗体上のタグに特異的な、抗タグ抗体である、請求項２７の方法。
【請求項２９】
第一の一次抗体および第二の一次抗体が各々、タグを含み、第一の一次抗体のタグおよび第二の一次抗体のタグが同じである、請求項２６の方法。
【請求項３０】
第一の一次抗体および第二の一次抗体が各々、タグを含み、第一の一次抗体のタグおよび第二の一次抗体のタグが異なる、請求項２６の方法。
【請求項３１】
第二の二次抗体が第一の二次抗体と同じであり、第一の二次抗体および第二の二次抗体が異なる標識を有する、請求項２６の方法。
【請求項３２】
閉鎖システム中で行う、請求項１〜３１のいずれかの方法。
【請求項３３】
請求項１〜３１のいずれか記載の方法を実行可能である閉鎖システムを含む、自動化スライド染色装置。
【請求項３４】
閉鎖システム、熱供給源、プロセッサ、およびプロセッサにカップリングしたメモリを含む自動化スライド染色装置であって、メモリが、プロセッサによって実行された際に、プロセッサに：
ａ．  スライド染色装置に、少なくとも第一の外因性タンパク質性結合実体（ＰＢＥ）と試料を、そのターゲット近傍に第一のＰＢＥの沈着を生じる方式で接触させるよう命令し；
ｂ．  スライド染色装置に、試薬と試料を、第一のＰＢＥの近傍に検出可能部分の特異的沈着を生じる方式で接触させるよう命令し；
ｃ．  スライド染色装置に、クエン酸緩衝剤を含む溶液の体積と試料を接触させるよう命令し、ここでクエン酸緩衝剤を含む溶液は、該クエン酸緩衝剤を含む溶液の沸点未満である出発緩衝剤温度である；
ｄ．  スライド染色装置に、熱供給源を、出発熱供給源温度から少なくともターゲット熱供給源温度まで、ある長さの時間に渡って加熱するよう命令し、ここで熱供給源からの熱が固体支持体および試料を加熱し、そして固体支持体および試料からの熱が緩衝剤を加熱し、クエン酸緩衝剤を含む溶液は、出発緩衝剤温度から第二の緩衝剤温度に上昇され、ターゲット熱供給源温度および第二の緩衝剤温度は、該クエン酸緩衝剤を含む溶液の沸点未満である；
ｅ.  スライド染色装置に、試料を洗浄溶液で洗浄するよう命令し；そして
ｆ.  スライド染色装置に、（ａ）〜（ｄ）を少なくとも第二のＰＢＥで反復するよう命令する
工程を含む作業を実行させる、コンピュータ読み取り可能命令を保存する、前記自動化スライド染色装置。
【請求項３５】
第一のＰＢＥを試料上に分配するための少なくとも第一の分配装置、および第二のＰＢＥを試料上に分配するための少なくとも第二の分配装置を含む、請求項３４の自動化スライド染色装置。
【請求項３６】
複数の抗体分配装置を含む、請求項３４の自動化スライド染色装置。
【請求項３７】
クエン酸緩衝剤を含む溶液を試料上に分配するための分配装置をさらに含む、請求項３４の自動化スライド染色装置。
【請求項３８】
洗浄溶液を試料上に分配するための分配装置を含む、請求項３４の自動化スライド染色装置。
【請求項３９】
ａ.  クエン酸緩衝剤を、スライド上に沈着した試料上に分配するように適応した緩衝剤リザーバー；
ｂ.  試料を含むスライドを加熱するように適応した熱供給源であって、出発熱供給源温度からターゲット熱供給源温度まで加熱される、前記熱供給源；
ｃ.  試料と
ｉ.  少なくとも第一の一次抗体および第二の一次抗体；そして
ｉｉ.  第一の一次抗体および第二の一次抗体の両方に結合可能な二次抗体
を接触させるように適応した少なくとも１つの抗体分配装置；ならびに
ｄ.  請求項１〜３２のいずれか記載の方法を実行するために（ａ）〜（ｃ）を命令するように適応したコントロールモジュール
を含む、システム。
【請求項４０】
第一の一次抗体用の第一の抗体分配装置および第二の二次抗体用の第二の抗体分配装置、ならびに二次抗体用の第三の抗体分配装置を含む、請求項３９のシステム。
【発明の詳細な説明】
【技術分野】
【０００１】
[0001]本発明は、アッセイ、例えば限定されるわけではないが組織化学アッセイのため、タンパク質性結合実体（例えば抗体）を不活性化し、そして／または除去するための方法、組成物、およびシステムに関し、より詳細には、タンパク質性結合実体（例えば抗体）を不活性化しそして／または除去するための熱化学に基づく処理および組成物に関する。
【発明の概要】
【０００２】
[0002]多くの診断法は、同じ試料中の複数のターゲットの評価を必要とする。これは、分子技術に関しては、比較的容易に、そしてルーチンに行われるが、顕微鏡的視覚化に頼る顕微鏡的技術に関しては、同じことは言えない。これらの技術は、典型的には、ターゲット分析物を視覚化するため、一次／二次抗体対の使用に頼る。しかし、単一の試料を多数の一次／二次抗体対で染色する能力は、二次抗体および異なる一次抗体間の交差反応性の可能性があるため、非常に限られている。
【０００３】
[0003]続く染色サイクルにおけるこうした交差反応性の防止を補助するため、多様な方法が用いられてきている。例えば、Ｎａｋａｎｅ（Ｊ  Ｈｉｓｔｏｃｈｅｍ  Ｃｙｔｏｃｈｅｍ，  １９６８，  １６：５５７−６０）は、水不溶性ＤＡＢ沈殿物が形成された後、最初の染色サイクルから、抗原−一次抗体−二次抗体−ペルオキシダーゼ複合体を除去するかまたは溶出させるために、酸洗浄を用いた。しかし、この技術は、組織試料品質の劣化を引き起こすようであった。Ｎｅｇｏｅｓｃｕら（Ｊ  Ｈｉｓｔｏｃｈｅｍ  Ｃｙｔｏｃｈｅｍ，  １９９４，  ４２：４３３−４３７）は、最初の染色サイクル後、一次抗体上の過剰な結合部位をブロッキングするため、二次ポリクローナル一価Ｆ（ａｂ）抗体を用いた。しかし、この技術は、注意深く制御された実験を必要とし、そして時間が掛かり、そしてＦ（ａｂ）二次抗体のアフィニティが低いため、このアプローチは限定されたものである（Ｔｏｒｎｅｈａｖｅら，  ２０００，  Ｈｉｓｔｏｃｈｅｍ  Ｃｅｌｌ  Ｂｉｏｌ  １１３：１９−２３）。ＷａｎｇおよびＬａｒｓｓｏｎ（Ｈｉｓｔｏｃｈｅｍｉｓｔｒｙ，  １９８５，  ８３：４７−５６）は、ホルムアルデヒド蒸気処理を用いて、組織に結合した抗原−抗体複合体に存在する二次抗体上の抗原結合部位を不活性化した。しかし、この方法は、ホルムアルデヒド感受性抗原を検出不能にするリスクと関連した。
【０００４】
[0004]ＫｏｌｏｄｚｉｅｊｃｚｙｋおよびＢａｅｒｔｓｃｈｉ（Ｊ  Ｈｉｓｔｏｃｈｅｍ  Ｃｈｙｔｏｃｈｅｍ，  １９８６，  ３４：１７２５−１７２９）は、染色写真を撮影した後に、過剰な熱（例えば１３０℃）を用いて、免疫グロブリンを除去した。次いで、新たな染色を行い、そして新たな写真を撮影し、そして最初の画像セットに比較した。この技術は、異なる染色サイクル間に、組織保護の数日間（例えば５〜７日間）を必要とし、そして続く抗原との同時局在を決定するために、どこの写真を撮影するべきかを予測することが困難でありうる。Ｌａｎら（Ｊ  Ｈｉｓｔｏｃｈｅｍ  Ｃｙｔｏｃｈｅｍ，  １９９１，  ４３：９７−１０２）は、マイクロ波処理を用いて、すでに結合している抗体分子を変性させて、２つの一次抗体を用いて、そしてアルカリホスファターゼおよびＨＲＰ酵素視覚化システムを用い、核および細胞質抗原を検出した。Ｔｏｒｎｅｈａｖｅら（Ｈｉｓｔｏｃｈｅｍ  Ｃｅｌｌ  Ｂｉｏｌ，  ２０００，  １１３：１９−２３）、ＴｏｔｈおよびＭｅｚｅｙ（Ｊ  Ｈｉｓｔｏｃｈｅｍ  Ｃｙｔｏｃｈｅｍ，  ２００７，  ５５：５４５）、ならびにＯｓｍａｎら（Ｅｕｒｏ  Ｊ  Ｈｉｓｔｏｃｈｅｍ，  ２０１３，  ５７：ｅ２２）は、現在のおよび続く染色サイクルの間のマイクロ波処理は、抗体が同種である際の、二重間接的免疫蛍光染色を可能にすると示唆した。しかし、この方法は、交差反応染色シグナルの完全な無効化に関して徹底的には評価されてきておらず、そしてマイクロ波処理は、ホルマリン固定パラフィン包埋（ＦＦＰＥ）試料において、抗原のいくつかを破壊することが示された（Ｂａｕｅｒら，  Ｈｉｓｔｏｃｈｅｍ  Ｃｅｌｌ  Ｂｉｏｌ，  ２００１，  １１６：２２７−２３２；  Ｏｓｍａｎら，  Ｅｕｒｏ  Ｊ  Ｈｉｓｔｏｃｈｅｍ，  ２０１３，  ５７：ｅ２２）。マイクロ波処理技術では、特定のフルオロフォアに関して、蛍光の喪失もまた報告された（ＴｏｔｈおよびＭｅｚｅｙ，  ２００７；  Ｂａｕｅｒら，  ２００１）。Ｐｉｒｉｃｉら（Ｊ  Ｈｉｓｔｏｃｈｅｍ  Ｃｙｔｏｃｈｅｍ，  ２００９，  ５７：５６７−５７５）は、マイクロ波処理技術が、何らかのデリケートな生検を、特にこれらが以前の熱仲介法によって抗原回復されている場合、ポリリジンスライドから除去する傾向があることを示した。
【０００５】
[0005]Ｐｉｒｉｃｉら（Ｊ  Ｈｉｓｔｏｃｈｅｍ  Ｃｙｔｏｃｈｅｍ，  ２００９，  ５７：５６７−５７５）およびＧｅｎｄｕｓａら（Ｊ  Ｈｉｓｔｏｃｈｅｍ  Ｃｙｔｏｃｈｅｍ，  ２０１４，  ６２：５１９−５３１）は、以前のＩＨＣ染色サイクルに由来するすでに結合している抗体複合体を取り除く努力の中で、異なるｐＨ、モル浸透圧濃度、界面活性剤、および変性特性を持つ、いくつかの緩衝剤を研究した。以前の染色サイクルに由来する一次抗体を不活性化するために緩衝剤を使用することは魅力があるものであったが、緩衝剤は一貫しては働かないことが見出された。例えば、Ｐｉｒｉｃｉは、グリシン−ＨＣｌ／ＳＤＳ  ｐＨ２緩衝剤が有効であることを見出したが、Ｇｅｎｄｕｓａは無効であることを見出した。Ｇｅｎｄｕｓａは、２−メルカプトエタノール／ＳＤＳ  ｐＨ６．７５緩衝剤が有効であることを見出したが、Ｐｉｒｉｃｉは無効であることを見出した。また、いくつかの緩衝剤は、Ｈ＆Ｅ染色を脱色させるか、または核タンパク質ターゲットの染色を減少させることが見出された。変性剤を含む他の緩衝剤は、生体に有害であると決定された。
【０００６】
[0006]さらに、これらの方法はいずれも、Ｖｅｎｔａｎａ  ＢｅｎｃｈＭａｒｋおよびＬｅｉｃａ  ＢＯＮＤシリーズ自動化スライド染色装置を含めて、スライド用の熱供給原を有する現存する自動化スライド染色装置とは適合しない。方法は、これらの自動化プラットホームには現在提供されていない特殊な試薬を必要とするか、またはデバイスは必要な温度に到達可能な熱供給源を含有しない。さらに、商業的に入手可能な自動化スライド染色装置はいずれも、マイクロ波を通じてスライドを加熱可能なモジュールを含有しない。
【０００７】
[0007]抗体不活性化緩衝剤が抗体不活性化の優れた候補ではないという、上述のような証拠にもかかわらず、本発明者らは、驚くべきことに、続く染色サイクルにおいて、交差反応性の防止を補助するように、染色サイクル間で実行するための熱化学プロセスを発見した。例えば、該処理は、試料中の抗体（または抗体−抗体複合体、例えば一次抗体−二次抗体複合体）の量を減少させ、そして／または前記抗体（または抗体−抗体複合体）が続く染色サイクルで検出される能力を減少させる（例えば抗体複合体の溶出を促進する等）ことを補助しうる。まず、第一の外因性タンパク質性結合実体（ＰＢＥ）、例えば抗体と試料を、そのターゲット近傍にＰＢＥの沈着を生じる方式で接触させる（またはともにインキュベーションする）ことも可能である。次いで、試薬と試料を、ＰＢＥの近傍に検出可能部分の特異的沈着を生じる方式で接触させる（またはともにインキュベーションする）ことも可能である。次いで、試料を熱化学プロセス／方法（熱殺（ｈｅａｔ−ｋｉｌｌ）法）で処理して、ＰＢＥが試料中でさらに検出される能力を減少させる（例えば試料からＰＢＥを溶出させる、試料中のＰＢＥを変性させる等）ことも可能である。
【０００８】
[0008]本発明の熱化学プロセスまたは方法（熱殺法）は、スライド上の試料を、緩衝剤（例えばクエン酸緩衝剤）を含む溶液の体積と接触させ、そして熱供給源（例えば熱パッド）を加熱することによって、スライドおよび試料および緩衝剤を含む溶液を加熱する工程を含む。熱供給源は、スライドのごく近傍にあって（例えば直接接触してまたはスライドとほぼ直接接触して）もよい。熱供給源の加熱は、スライド、試料、および緩衝剤を効率的に加熱する（例えば温度を第一の温度から第二の温度に上昇させる）。熱供給源を、出発熱供給源温度（例えば１８℃〜４２℃）からターゲット熱供給源温度に（またはターゲット熱供給源温度より高く）、例えば８０℃〜９８℃に加熱し（例えば特定の速度で、例えば緩慢な速度で、例えば１分あたり約５〜８℃から１分あたり約１２〜１５℃で）、ここでターゲット熱供給源温度（またはターゲット熱供給源温度より高い温度）は、緩衝剤を含む溶液の沸点未満である。熱供給源を、ターゲット熱供給源温度（またはターゲット熱供給源温度より高い温度）に、特定の長さの時間に渡って、保持してもよい。
【０００９】
[0009]緩衝剤を含み、試料／スライド上に沈着される溶液の体積は、約５００μｌから約２〜４ｍｌまでの範囲であってもよい。この体積は、約５μｌ／ｃｍ２〜５００μｌ／ｃｍ２の緩衝剤被覆（例えばスライドのその領域を覆う溶液の体積）の体積対表面積比を提供してもよい；が、本発明はこの体積または表面積被覆に限定されない。スライドを多量の熱い緩衝剤に浸すことを特徴とするベンチトップ法と比較して、本発明で用いる溶液の体積は比較的少ない。産業において、スライドおよび試料をある長さの時間に渡って、ターゲット試料温度に加熱する（例えば緩慢な速度で）際に、本発明で用いるもののような少ない体積は、タンパク質性結合実体（例えば抗体）を不活性化し、そして／または除去する能力に影響を及ぼすであろう、システムを無効にするような問題を提示するであろうと広く考えられている。例えば、加熱プロセスは、溶液の体積の多すぎる蒸発を促進し、これが望ましくない抗体を有効に溶出させる能力に影響を及ぼしうる（例えば抗体は小体積中で凝集しうる）。しかし、驚くべきことに、このプロセスにおいて、望ましくないタンパク質性結合実体（例えば抗体）を不活性化し、そして／または除去するために、小体積を使用可能であり、単一の固体支持体上の同じ試料において、少なくとも２つのターゲットの検出が可能になることが発見された。
【００１０】
[0010]本発明は、単一の固体支持体上の同じ試料において、少なくとも２つのターゲットを検出するための自動化法を特徴とする。先に論じたように、方法は、第一の外因性タンパク質性結合実体（ＰＢＥ）と試料を、そのターゲット近傍にＰＢＥの沈着を生じる方式で接触させる工程を含む。例えば、これは、試料と一次抗体をインキュベーションする工程を含んでもよい。方法はさらに、試薬と試料を、ＰＢＥの近傍に検出可能部分の特異的沈着を生じる方式で接触させる工程も含む。例えば、これは、試料と、一次抗体に特異的な二次抗体（例えば一次抗体の種に特異的な二次抗体、抗体上のタグ（例えばハプテン、エピトープタグ等）に特異的な二次抗体等）をインキュベーションする工程を含んでもよい。二次抗体は、例えば検出可能部分で、標識されていてもよい。二次抗体／検出可能部分は、ＰＢＥ近傍に沈着してもよい。
【００１１】
[0011]方法はさらに、試料を処理して、第一のＰＢＥが試料においてさらに検出される能力を減少させる工程を含む。いくつかの態様において、試料を、緩衝剤（例えばクエン酸緩衝剤）を含む溶液の体積と接触させ、そして固体支持体を熱供給源（例えば熱パッド）に接触させる（または曝露する）。図１Ａは、試料を含む固体支持体（例えばガラススライド）の例を示し、ここで固体支持体は、熱供給源（例えば熱パッド）の上にある。緩衝剤を含む溶液の体積が、固体支持体上の試料の上にある。熱の方向は、熱供給源から固体支持体／試料に、緩衝剤を含む溶液に向かうことも可能である。
【００１２】
[0012]いくつかの態様において、緩衝剤はクエン酸緩衝剤を含む。いくつかの態様において、緩衝剤を含む溶液は、熱供給源が、緩衝剤を含む溶液を第二の緩衝剤温度に加熱する前には、出発緩衝剤温度（緩衝剤を含む溶液の沸点未満）である。熱供給源を、出発熱供給源温度から、少なくともターゲット熱供給源温度（緩衝剤を含む溶液の沸点未満）に、ある長さの時間に渡って、加熱する（図１Ｂを参照されたい）。本発明をいかなる理論または機構に限定することも望ましくないが、熱供給源は、試料を含む固体支持体（例えばスライド）と直接接触しているかまたはごく近傍にあるため、熱供給源は、スライドおよび試料（および緩衝剤を含む溶液）を、熱供給源のものと類似の温度に加熱することが可能であると考えられる。先に論じたように、熱供給源からの熱が、固体支持体／試料を加熱し、そして固体支持体／試料からの熱が、緩衝剤を含む溶液を加熱する。
【００１３】
[0013]方法はさらに、第二のＰＢＥ（そして場合によって第三のＰＢＥ、第四のＰＢＥ、第五のＰＢＥ等）で上記工程を反復し、そしてＰＢＥとのインキュベーションの間の処理工程を反復する工程を含む。処理は、最後のＰＢＥインキュベーション後には行う必要はない。各検出可能部分は、ＰＢＥのターゲット位置に対応する位置で、試料において検出される（例えば視覚化される）ことが可能である。いくつかの態様において、試料は、各熱化学処理後、洗浄される（１回、２回、３回、３回より多く）。方法は、試料形態が、訓練を受けた読み取り者によって決定されるように許容可能であるままであるように、試料の品質を維持すべきである。
【００１４】
[0014]いくつかの態様において、緩衝剤は、クエン酸緩衝剤を含む。いくつかの態様において、クエン酸緩衝剤を含む溶液は、５〜７のｐＨを有する。いくつかの態様において、クエン酸緩衝剤を含む溶液は、５〜６．５のｐＨを有する。いくつかの態様において、クエン酸緩衝剤を含む溶液は、５ｍＭ〜２０ｍＭのクエン酸濃度を有する。いくつかの態様において、クエン酸緩衝剤を含む溶液は、さらに界面活性剤を含む。いくつかの態様において、界面活性剤は、ドデシル硫酸ナトリウム（ＳＤＳ）、ラウリル硫酸ナトリウム（ＳＬＳ）、ドデシル硫酸アンモニウム（ＡＤＳ）、ドデシル硫酸水素（ＨＤＳ）、およびドデシル硫酸ｔｒｉｓ（ヒドロキシメチル）アミノメタンを含む。いくつかの態様において、界面活性剤の割合は、０．１％、０．２％、０．３％、０．４％、０．５％、または０．６％である。
【００１５】
[0015]いくつかの態様において、溶液の体積は独立したパドル（ｆｒｅｅｓｔａｎｄｉｎｇ  ｐｕｄｄｌｅ）である。いくつかの態様において、溶液の体積は、５μｌ／ｃｍ２〜５００μｌ／ｃｍ２の体積対表面積比で、試料を覆う。いくつかの態様において、溶液の体積は、１０μｌ／ｃｍ２〜２００μｌ／ｃｍ２の体積対表面積比で、試料を覆う。いくつかの態様において、溶液の体積は、５μｌ／ｃｍ２〜１００μｌ／ｃｍ２の体積対表面積比で、試料を覆う。いくつかの態様において、試料は、処理および新規ＰＢＥの添加の間に、洗い流される（例えば１回、２回、３回、３回より多く）。
【００１６】
[0016]いくつかの態様において、出発緩衝剤温度は１８℃〜４２℃である。いくつかの態様において、出発緩衝剤温度は２０℃〜３７℃である。いくつかの態様において、出発緩衝剤温度は２２℃〜３０℃である。いくつかの態様において、熱供給源は熱パッドを含む。いくつかの態様において、熱供給源は固体支持体と直接接触している。いくつかの態様において、出発熱供給源温度は１８℃〜４２℃である。いくつかの態様において、出発熱供給源温度は２０℃〜３７℃である。いくつかの態様において、出発熱供給源温度は２２℃〜３０℃である。いくつかの態様において、出発熱供給源温度は１５℃〜４２℃である。
【００１７】
[0017]いくつかの態様において、ターゲット熱供給源温度は８０℃である。いくつかの態様において、ターゲット熱供給源温度は８５℃である。いくつかの態様において、ターゲット熱供給源温度は９０℃である。いくつかの態様において、ターゲット熱供給源温度は９５℃である。いくつかの態様において、ターゲット熱供給源温度は９７℃である。いくつかの態様において、熱供給源が出発熱供給源温度から少なくともターゲット熱供給源温度まで加熱される時間の長さは、少なくとも３分間である。いくつかの態様において、熱供給源が出発熱供給源温度から少なくともターゲット熱供給源温度まで加熱される時間の長さは、少なくとも４分間である。いくつかの態様において、熱供給源が出発熱供給源温度から少なくともターゲット熱供給源温度まで加熱される時間の長さは、少なくとも８分間である。
【００１８】
[0018]いくつかの態様において、熱供給源が出発熱供給源温度から少なくともターゲット熱供給源温度まで加熱される時間の長さは、少なくとも１０分間である。いくつかの態様において、熱供給源が出発熱供給源温度から少なくともターゲット熱供給源温度まで加熱される時間の長さは、少なくとも１６分間である。いくつかの態様において、熱供給源は、出発熱供給源温度から少なくともターゲット熱供給源温度まで、１分あたり９〜１１℃の速度で加熱される。いくつかの態様において、熱供給源は、出発熱供給源温度から少なくともターゲット熱供給源温度まで、１分あたり８〜１２℃の速度で加熱される。いくつかの態様において、熱供給源は、出発熱供給源温度から少なくともターゲット熱供給源温度まで、１分あたり８〜１５℃の速度で加熱される。いくつかの態様において、熱供給源は、出発熱供給源温度から少なくともターゲット熱供給源温度まで、１分あたり５〜１５℃の速度で加熱される。いくつかの態様において、熱供給源は、ターゲット熱供給源温度に、またはそれより高い温度に、少なくとも１５秒間ある。いくつかの態様において、熱供給源は、ターゲット熱供給源温度に、またはそれより高い温度に、少なくとも３０秒間ある。いくつかの態様において、熱供給源は、ターゲット熱供給源温度に、またはそれより高い温度に、少なくとも１分間ある。いくつかの態様において、熱供給源は、ターゲット熱供給源温度に、またはそれより高い温度に、少なくとも２分間ある。
【００１９】
[0019]いくつかの態様において、方法は、試料を第一の一次抗体とインキュベーションし、そして試料を、第一の一次抗体に特異的な第一の二次抗体と、第一の一次抗体がターゲットに結合する部位で検出可能部分が沈着する方式で、インキュベーションし；試料を処理して、上述のように試料中で一次抗体がさらに検出される能力を減少させ、少なくとも第二の一次抗体および第二の一次抗体に特異的な第二の二次抗体とのインキュベーションを反復し；そして一次／二次抗体とのインキュベーションの各反復間で処理を反復する工程を含む。
【００２０】
[0020]いくつかの態様において、第一の一次抗体および第二の一次抗体は、各々、タグ（例えばハプテン、エピトープタグ等）を含む。いくつかの態様において、第一の一次抗体のタグ（例えばハプテン、エピトープタグ等）および第二の一次抗体のタグ（例えばハプテン、エピトープタグ等）は同じである。いくつかの態様において、第一の一次抗体のタグ（例えばハプテン、エピトープタグ等）および第二の一次抗体のタグ（例えばハプテン、エピトープタグ等）は異なる。いくつかの態様において、第二の二次抗体は第一の二次抗体と同じであるが、二次抗体は異なる検出可能標識を有する。
【００２１】
[0021]本発明の方法は自動化されている。いくつかの態様において、本発明の方法は、閉鎖システム中（例えば自動化法）で行われ、ここで、方法は手動工程を含まない。例えば、方法は、閉鎖システム中で行われ、そして熱化学処理工程が閉鎖システム中に組み込まれる（熱化学処理は手動工程ではない）。
【００２２】
[0022]本発明はまた、本発明の方法を実行するようにプログラムされたシステムおよび自動化スライド染色装置も特徴とする。
[0023]本発明はまた、本発明の方法を用いて得られる標識組織試料を含む組成物などの組成物も特徴とする。本発明はまた、組織試料を含むスライドを含む組成物も特徴とし、組織試料は、一次抗体、二次抗体、および標識を含み、組織試料は上述のように処理される。
【００２３】
[0024]本発明をいかなる理論または機構に限定することを意図しないが、本発明の方法、組成物、およびシステムは、自動化染色デバイス（例えばＶＥＮＴＡＮＡ  Ｂｅｎｃｈｍａｒｋ、Ｄａｋｏ、Ｌｅｉｃａ  Ｂｏｎｄ等）における自動化アッセイに有益でありうると考えられる。こうした自動化デバイスはすでに、緩衝剤および試薬を分配し、そして試料を多様な温度（例えば３７℃〜９０℃、３７℃〜９５℃、３７℃〜９９℃等）に加熱するよう適応している一方、こうした自動化デバイスは、試料をマイクロ波処理するか、または試料を１３０℃などの非常に高い温度に加熱するようには適応していない。
【図面の簡単な説明】
【００２４】
【図１】[0025]図１Ａは、熱供給源（１２０）（例えば熱パッド）の上に位置する、試料を含む固体支持体（１１０）（例えばガラススライド）の模式図を示す。溶液の体積（１３０）（例えばパドル）、例えばクエン酸緩衝剤は、試料／固体支持体の上に位置する。熱パッドからの熱は、上方に向かう。いくつかの態様において、熱パッドは固体支持体を加熱する。次いで、熱は、上方の試料に移り、次いで、溶液の体積、例えば緩衝剤に移る。溶液の体積は、独立したパドルであってもよい。矢印は、熱（１４０）の方向を指す。図１Ｂは、ある時間に渡る、熱供給源の加熱の模式図である。熱供給源は、出発熱供給源温度（１５１）で始まる。熱供給源をターゲット熱供給源温度（１５２）（またはターゲット熱供給源温度より高い温度）まで、ある長さの時間に渡って加熱する。いくつかの態様において、熱供給源は、ターゲット熱供給源温度（またはターゲット熱供給源温度より高い温度）で、ある長さの時間保持される。数値（１５３）は、出発熱供給源温度からターゲット熱温度までの時間を指す。数値（１５４）は、ターゲット熱供給源温度またはそれより高い温度にある時間を指す。
【図２】[0026]図２Ａは、対照としてのＣＤ２０  ＩＨＣ染色（２０１）を示す（実施例１）。図２Ｂは、ウサギ抗ＣＤ２０／ヤギ抗ウサギＨＲＰ適用後、熱化学処理工程（熱殺工程）を用いた際のＣＤ２０染色を示す（実施例１）。
【図３】[0027]図３Ａは、対照としてのＣＤ２０  ＩＨＣ染色（２０１）を示す（実施例２）。図３Ｂは、ウサギ抗ＣＤ２０／ヤギ抗ウサギＨＲＰ適用およびＤＡＢ検出後、熱化学処理工程（熱殺工程）を適用した際のＣＤ２０染色を示す（実施例２）。
【図４】[0028]図４Ａは、対照ＣＤ２０  ＩＨＣ染色（２０１）を示す（実施例３）。図４Ｂは、一次および二次抗体適用後だが、二次抗体の再適用（および続くＤＡＢ検出）前に、熱化学処理工程（熱殺工程）を適用した後の染色を示す（実施例３）。
【図５】[0029]図５Ａは、対照ＣＤ２０染色（２０１）を示す。図５Ｂは、ＦｏｘＰ３対照染色（２０２）を示す。図５Ｃは、ＣＤ２０一次および二次抗体を適用した後だが、ＦｏｘＰ３一次抗体を適用する前に、熱化学処理（熱殺）工程を行った後の、ＦｏｘＰ３染色を示す（実施例４．１）。
【図６】[0030]図６Ａは、ＣＤ３の対照染色（２０３）を示す。図６Ｂは、熱殺工程５サイクル後のＣＤ３染色を示す。ＣＤ３染色は、対照のものに匹敵した。図６Ｃは、ＣＤ８の対照染色（２０４）を示す。図６Ｄは、熱殺工程５サイクル後のＣＤ８染色を示す。ＣＤ８染色は、対照のものに匹敵した。図６Ｅは、ＣＤ６８の対照染色（２０５）を示す。図６Ｆは、熱殺工程５サイクル後のＣＤ６８染色を示す。ＣＤ６８染色は、対照のものに匹敵した（実施例５）。
【図７Ａ】[0031]図７Ａは、結腸試料におけるＣＤ３染色を示す。上部左パネルは、対照ＣＤ３染色（２０３）を示す。上部右パネルは、ＣＤ３に関する一次抗体を用いなかった対照を示す。下部左パネルおよび下部右パネルは、熱殺工程を用いた際の結果を示す。
【図７Ｂ】図７Ｂは、乳房試料におけるＨＥＲ２染色を示す。上部左パネルは、対照ＨＥＲ２染色（２０６）を示す。上部右パネルは、ＨＥＲ２に関する一次抗体を用いなかった対照を示す。下部左パネルおよび下部右パネルは、熱殺工程を用いた際の結果を示す。
【図７Ｃ】図７Ｃは、頭部／頸部扁平上皮癌（ＨＮＳＣＣ）試料におけるケラチン５染色を示す。上部左パネルは、対照ケラチン５染色（２０７）を示す。上部右パネル、下部左パネルおよび下部右パネルは、熱殺工程を用いた際の結果を示す。
【図７Ｄ】図７Ｄは、乳房試料におけるＫｉ−６７染色を示す。上部左パネルは、対照Ｋｉ−６７染色（２０８）を示す。上部右パネルは、Ｋｉ−６７に関する一次抗体を用いなかった対照を示す。下部左パネルおよび下部右パネルは、熱殺工程を用いた際の結果を示す。
【図７Ｅ】図７Ｅは、乳房試料におけるＥＲ染色を示す。左パネルは、対照ＥＲ染色（２０９）を示す。中央パネルおよび右パネルは、熱殺工程を用いた際の結果を示す。
【図７Ｆ】図７Ｆは、ＨＮＳＣＣ試料におけるＰＤＬ１染色を示す。上部左パネルは、対照ＰＤＬ１染色（２１０）を示す。上部右パネル、下部左パネルおよび下部右パネルは、熱殺工程を用いた際の結果を示す（実施例８）。
【図８】[0032]図８Ａは、ＣＤ２０の対照染色（２０１）を示す。図８Ｂは、対照ＦｏｘＰ３染色（２０２）を示す。図８Ｃは、熱殺工程を行った後のＦｏｘＰ３染色を示す（実施例９）。
【図９】[0033]図９は、表１の実験３の結果を示す（実施例１１を参照されたい）。図９Ａは、ＤＡＰＩ染色（２１２）（核染色）を示す。図９Ｂは、自己蛍光（ＤＣＣ）（１００ｍｓ曝露）を示す。図９Ｃは、Ｒ６Ｇを用いたＰＤ−Ｌ１陽性染色（２１１）（別のスライド）を示す（染色は、膜の輪郭を示す）。図９Ｄは、Ｒ６Ｇ後、熱殺／熱脱活性化工程を用いたＰＤ−Ｌ１染色（５００ｍｓ曝露）を示す。５００ｍｓの延長した曝露時間であっても、自己蛍光バックグラウンドレベルを超えて交差反応シグナルは検出されなかった。
【発明を実施するための形態】
【００２５】
用語
[0034]別に説明しない限り、本明細書で用いるすべての技術的および科学的用語は、開示する発明が属する分野の一般の当業者によって一般的に理解されるものと同じ意味を有する。単数形の用語、「ａ」、「ａｎ」、および「ｔｈｅ」は、文脈が別の意を明らかに示さない限り、複数の指示対象を包含する。同様に、単語「ｏｒ」は、文脈が別の意を明らかに示さない限り、「ａｎｄ」を包含するよう意図される。「含む（ｃｏｍｐｒｉｓｉｎｇ）」は「包含する（ｉｎｃｌｕｄｉｎｇ）」を意味する。したがって、「ＡまたはＢを含む」は、「Ａを包含する」または「Ｂを包含する」または「ＡおよびＢを包含する」を意味する。
【００２６】
[0035]本開示の態様の実施および／または試験に適した方法および材料を以下に記載する。こうした方法および材料は例示のみであり、そして限定することを意図されない。本明細書に記載するものと類似のまたは同等の他の方法および材料が使用可能である。例えば、開示が属する業に周知の慣用的な方法が多様な一般的なまたはより特定の参考文献に記載され、これらには、例えば、Ｓａｍｂｒｏｏｋら，  Ｍｏｌｅｃｕｌａｒ  Ｃｌｏｎｉｎｇ：  Ａ  Ｌａｂｏｒａｔｏｒｙ  Ｍａｎｕａｌ，  第２版，  Ｃｏｌｄ  Ｓｐｒｉｎｇ  Ｈａｒｂｏｒ  Ｌａｂｏｒａｔｏｒｙ  Ｐｒｅｓｓ，  １９８９；  Ｓａｍｂｒｏｏｋら，  Ｍｏｌｅｃｕｌａｒ  Ｃｌｏｎｉｎｇ：  Ａ  Ｌａｂｏｒａｔｏｒｙ  Ｍａｎｕａｌ，  第３版，  Ｃｏｌｄ  Ｓｐｒｉｎｇ  Ｈａｒｂｏｒ  Ｐｒｅｓｓ，  ２００１；  Ａｕｓｕｂｅｌら，  Ｃｕｒｒｅｎｔ  Ｐｒｏｔｏｃｏｌｓ  ｉｎ  Ｍｏｌｅｃｕｌａｒ  Ｂｉｏｌｏｇｙ，  Ｇｒｅｅｎｅ  Ｐｕｂｌｉｓｈｉｎｇ  Ａｓｓｏｃｉａｔｅｓ，  １９９２  （および２０００年までの補遺）；  Ａｕｓｕｂｅｌら，  Ｓｈｏｒｔ  Ｐｒｏｔｏｃｏｌｓ  ｉｎ  Ｍｏｌｅｃｕｌａｒ  Ｂｉｏｌｏｇｙ：  Ａ  Ｃｏｍｐｅｎｄｉｕｍ  ｏｆ  Ｍｅｔｈｏｄｓ  ｆｒｏｍ  Ｃｕｒｒｅｎｔ  Ｐｒｏｔｏｃｏｌｓ  ｉｎ  Ｍｏｌｅｃｕｌａｒ  Ｂｉｏｌｏｇｙ，  第４版，  Ｗｉｌｅｙ  ＆  Ｓｏｎｓ，  １９９９；  ＨａｒｌｏｗおよびＬａｎｅ，  Ａｎｔｉｂｏｄｉｅｓ：  Ａ  Ｌａｂｏｒａｔｏｒｙ  Ｍａｎｕａｌ，  Ｃｏｌｄ  Ｓｐｒｉｎｇ  Ｈａｒｂｏｒ  Ｌａｂｏｒａｔｏｒｙ  Ｐｒｅｓｓ，  １９９０；ならびにＨａｒｌｏｗおよびＬａｎｅ，  Ｕｓｉｎｇ  Ａｎｔｉｂｏｄｉｅｓ：  Ａ  Ｌａｂｏｒａｔｏｒｙ  Ｍａｎｕａｌ，  Ｃｏｌｄ  Ｓｐｒｉｎｇ  Ｈａｒｂｏｒ  Ｌａｂｏｒａｔｏｒｙ  Ｐｒｅｓｓ，  １９９９が含まれ、これらの開示は、その全体が本明細書に援用される。
【００２７】
[0036]本明細書に言及するすべての刊行物、特許出願、特許、および他の参考文献は、すべての目的のためにその全体が本明細書に援用される。矛盾する場合、用語の説明も含めて本明細書が統制するであろう。
【００２８】
[0037]本明細書に記載するものと類似のまたは均等の方法および材料を、開示する技術の実施または試験に使用可能であるが、適切な方法および材料を以下に記載する。材料、方法、および実施例は例示のためのみのものであり、そして限定することを意図されない。
【００２９】
[0038]開示の多様な態様の検討を容易にするため、特定の用語の以下の説明を提供する：
[0039]タンパク質性結合実体：本明細書において、用語「結合実体」は、特定の分子構造に特異的に結合可能な任意のタンパク質性分子を指すものとする。例には、抗体およびその抗原結合性断片、ならびに操作特異的結合構造が含まれ、これにはＡＤＮＥＣＴＩＮ（第１０  ＦＮ３フィブロネクチンに基づく足場；  Ｂｒｉｓｔｏｌ−Ｍｙｅｒｓ−Ｓｑｕｉｂｂ  Ｃｏ．）、ＡＦＦＩＢＯＤＹ（黄色ブドウ球菌（Ｓ．  ａｕｒｅｕｓ）由来のプロテインＡのＺドメインに基づく足場；  Ａｆｆｉｂｏｄｙ  ＡＢ、スウェーデン・ソルナ）、ＡＶＩＭＥＲ（ドメインＡ／ＬＤＬ受容体に基づく足場；  Ａｍｇｅｎ、カリフォルニア州サウザンドオークス）、ｄＡｂ（ＶＨまたはＶＬ抗体ドメインに基づく足場；  ＧｌａｘｏＳｍｉｔｈＫｌｉｎｅ  ＰＬＣ、英国ケンブリッジ）、ＤＡＲＰｉｎ（アンキリンリピートタンパク質に基づく足場；  Ｍｏｌｅｃｕｌａｒ  Ｐａｒｔｎｅｒｓ  ＡＧ、スイス・チューリッヒ）、ＡＮＴＩＣＡＬＩＮ（リポカリンに基づく足場；  Ｐｉｅｒｉｓ  ＡＧ、ドイツ・フライジング）、ＮＡＮＯＢＯＤＹ（ＶＨＨ（ラクダ（ｃａｍｅｌｉｄ）Ｉｇ）に基づく足場；  Ａｂｌｙｎｘ  Ｎ／Ｖ、ベルギー・ヘント）、ＴＲＡＮＳ−ＢＯＤＹ（トランスフェリンに基づく足場；  Ｐｆｉｚｅｒ  Ｉｎｃ．、ニューヨーク州ニューヨーク）、ＳＭＩＰ（Ｅｍｅｒｇｅｎｔ  Ｂｉｏｓｏｌｕｔｉｏｎｓ，  Ｉｎｃ．、メリーランド州ロックビル）、およびＴＥＴＲＡＮＥＣＴＩＮ（Ｃ型レクチンドメイン（ＣＴＬＤ）に基づく足場、テトラネクチン；  Ｂｏｒｅａｎ  Ｐｈａｒｍａ  Ａ／Ｓ、デンマーク・オーフス）が含まれる。こうした操作特異的結合構造の説明は、Ｗｕｒｃｈら，  画像化および療法のための、全抗体の代替物としての新規タンパク質足場の開発：発見研究および臨床検証に関する状態，  Ｃｕｒｒｅｎｔ  Ｐｈａｒｍａｃｅｕｔｉｃａｌ  Ｂｉｏｔｅｃｈｎｏｌｏｇｙ，  Ｖｏｌ．  ９，  ｐｐ．  ５０２−５０９（２００８）に概説される。
【００３０】
[0040]本明細書において、用語「抗体」は、望ましい生物学的または結合活性を示す抗体の任意の型を指す。したがって、これは最も広い意味で用いられ、そして特に、限定されるわけではないが、モノクローナル抗体（全長モノクローナル抗体を含む）、ポリクローナル抗体、多重特異性抗体（例えば二重特異性抗体）、ヒト化抗体、全長ヒト抗体、キメラ抗体およびラクダ化（ｃａｍｅｌｉｚｅｄ）単一ドメイン抗体を含む。
【００３１】
[0041]本明細書において、別に示さない限り、「抗体断片」または「抗原結合性断片」は、抗体の抗原結合性断片、例えば全長抗体によって結合される抗原に特異的に結合する能力を保持する抗体断片、例えば１またはそれより多いＣＤＲ領域を保持する断片を指す。抗体結合性断片の例には、限定されるわけではないが、Ｆａｂ、Ｆａｂ’、Ｆ’（ａｂ’）２、およびＦｖ断片；ディアボディ；直鎖抗体；一本鎖抗体分子、例えばｓｃ−Ｆｖ；ナノボディおよび抗体断片から形成される多重特異性抗体が含まれる。
【００３２】
[0042]一次抗体は、抗体または結合実体の前述の例のいずれであってもよい。二次抗体は、一次抗体に結合可能な結合剤、例えば一次抗体上のタグ（例えばハプテン）に結合可能な結合剤、一次抗体に直接結合可能な結合剤等である。
【００３３】
[0043]接触：２またはそれより多い部分の間の関連、特に直接物理的関連を可能にする配置、例えばどちらも固体型および／または液体型のもの（例えば、生物学的試料、例えばスライドに付着した生物学的試料の、組成物、例えば本明細書に開示するプローブを含有する溶液と接触した配置）。
【００３４】
[0044]検出可能標識：試料中のターゲット（例えばタンパク質または核酸）の存在および／または量を示すシグナル（例えば視覚的、電気的、または他のシグナル）を生じうる分子または物質。検出可能標識は、一般の当業者に周知である。
【００３５】
[0045]ハプテン：ハプテンは、抗体と特異的に結合可能であるが、典型的には、キャリアー分子と組み合わせた場合を除いて、免疫原性であることが実質的に不可能である分子、典型的には小分子である。多くのハプテンが知られ、そして分析法にしばしば用いられており、例えばジニトロフェニル、ビオチン、ジゴキシゲニン、フルオレセイン、ローダミン、またはその開示の全体が本明細書に援用される米国特許第７，６９５，９２９号に開示されるものがある。他のハプテンが、本出願の譲受人であるＶｅｎｔａｎａ  Ｍｅｄｉｃａｌ  Ｓｙｓｔｅｍｓ，  Ｉｎｃ．によって特に開発されてきており、これには、オキサゾール、ピラゾール、チアゾール、ニトロアリール、ベンゾフラン、トリテルペン、尿素、チオ尿素、ロテノイド、クマリン、シクロリグナン、およびその組み合わせより選択されるハプテンが含まれ、特定のハプテンの例には、ベンゾフラザン、ニトロフェニル、４−（２−ヒドロキシフェニル）−１Ｈ−ベンゾ［ｂ］［１，４］ジアゼピン−２（３Ｈ）−オン、および３−ヒドロキシ−２−キノキサリンカルバミドが含まれる。複数の異なるハプテンを、多量体キャリアーにカップリングさせてもよい。さらに、化合物、例えばハプテンを、リンカー、例えばＮＨＳ−ＰＥＧリンカーを用いて、別の分子にカップリングしてもよい。
【００３６】
[0046]組織化学（例えば免疫組織化学（ＩＨＣ））：試料中のターゲット分子の存在または分布を、検出可能な特異的結合剤、例えば抗体とターゲット分子の相互作用を検出することによって決定する方法。例えば、試料を、抗体−抗原結合を許す条件下で、抗体と接触させる。抗体にコンジュゲート化された検出可能標識によって（直接検出）、または一次抗体に特異的に結合する、二次抗体にコンジュゲート化した検出可能標識によって（例えば間接的検出）、抗体−抗原結合を検出することも可能である。
【００３７】
[0047]多重化、多重化された、多重化する：本発明の態様は、同じ試料中で多数のターゲットが、望ましいように、例えば実質的に同時にまたは連続して、検出されることを可能にする。
【００３８】
[0048]特異的結合：定義されるターゲットに優先的に結合する剤の結合を指す用語（例えば一次抗体に対する二次抗体、特定のタンパク質または抗原に対する抗体等）。イムノアッセイ形式を用いて、特定のタンパク質と特異的に反応する抗体を選択してもよい（例えば、ＨＥＲ２タンパク質またはＥＲタンパク質に特異的に結合する抗体）。イムノアッセイ形式および条件の説明には、ＨａｒｌｏｗおよびＬａｎｅ，  Ａｎｔｉｂｏｄｉｅｓ，  Ａ  Ｌａｂｏｒａｔｏｒｙ  Ｍａｎｕａｌ，  Ｃｏｌｄ  Ｓｐｒｉｎｇ  Ｈａｒｂｏｒ  Ｐｕｂｌｉｃａｔｉｏｎｓ，  ニューヨーク（１９８８）を参照されたい。
【００３９】
[0049]被験体：任意の多細胞脊椎動物、例えばヒトまたは非ヒト哺乳動物（例えば獣医学的被験体）。
[0050]細胞試料：病理学的、組織学的、または細胞学的解釈のために採取される、損なわれていない細胞を含有する任意の試料、例えば細胞培養物、体液試料または外科標本。
【００４０】
[0051]組織試料：試料を得た被験体内に存在していたような、細胞間の横断面空間関係を保持する細胞試料。「組織試料」は、初代組織試料（すなわち被験体によって産生される細胞および組織）および異種移植片（すなわち被験体内に移植される外来性細胞試料）の両方を含むものとする。
【００４１】
[0052]細胞学的試料：試料の細胞が、試料がもはや細胞試料を得た被験体において存在していたような細胞の空間的関係を反映しないように、部分的にまたは完全に脱凝集されている、細胞試料。細胞学的試料の例には、組織掻爬（例えば子宮頸部掻爬）、細針吸引物、被験体の洗浄によって得られた試料等が含まれる。
【００４２】
[0053]染色：名詞で用いた場合、用語「染色」は、明視野顕微鏡、蛍光顕微鏡、電子顕微鏡等を含む、顕微鏡分析のため、細胞試料中の特定の分子または構造を視覚化するために使用可能な、任意の物質を指すものとする。動詞として用いた場合、用語「染色する」は、細胞試料上の染色剤の沈着を生じる、任意のプロセスを指すものとする。
【００４３】
発明の説明
[0054]ここで図１〜９を参照して、本発明は、続く染色サイクルにおいて、検出可能タンパク質（例えばタンパク質性結合実体（ＰＢＥ））の交差反応性の防止を補助するための、熱化学（熱殺）プロセス、方法、組成物、およびシステムを特徴とする。本発明は、検出可能タンパク質の量を減少させ、そして／または続く染色サイクルのため、検出可能タンパク質を不活性または検出不能にすることも可能である（例えば訓練を受けた読み取り者が、あるとしても多くの交差反応性を見ないであろうように）。熱化学処理法は、試料と検出可能タンパク質のインキュベーションに続いて、試料上に沈着している検出可能（例えば可視）標識またはマーカーが試料上にあり続けることを可能にする（または検出可能標識の大部分があり続ける）。
【００４４】
[0055]試料が細胞試料、例えば組織試料（例えばＦＦＰＥ組織試料）に限定されないことに注目されたい；いくつかの態様において、試料は細胞不含である。さらに、本発明は免疫組織化学適用に限定されない。
【００４５】
[0056]試料を、まず、第一の外因性タンパク質性結合実体（ＰＢＥ）、例えば抗体と、ターゲット近傍にＰＢＥの沈着が生じる方式で接触させてもよい。次いで、試料を、試薬と、ＰＢＥの近傍に検出可能部分の特異的沈着が生じる方式で接触させてもよい。次いで、試料を熱化学プロセス／方法（熱殺法）で処理して、ＰＢＥが試料中でさらに検出される能力を減少させてもよい（例えば、ＰＢＥを試料から溶出させる、試料中のＰＢＥを変性させる等）
熱化学処理
[0057]本発明の熱化学プロセスまたは方法（熱殺法）は、緩衝剤（例えばクエン酸緩衝剤）を含む溶液の体積と、スライド上の試料を接触させ、そして熱供給源（例えば熱パッド）を加熱することを通じて、スライドおよび試料および緩衝剤を含む溶液を加熱する工程を含む。熱供給源の加熱は、スライド、試料、および緩衝剤を効率的に加熱する（例えば、温度を、出発緩衝剤温度から、第二の温度に上昇させる）。
【００４６】
[0058]図１Ａは、熱供給源（例えば熱パッド）の上に位置する、試料を含む固体支持体（例えばガラススライド）の模式図を示す。緩衝剤を含む溶液の体積（例えばパドル）は、試料／固体支持体の上に位置する。熱供給源からの熱は、熱供給源から、固体支持体／試料に、緩衝剤を含む溶液に向いていてもよい。
【００４７】
[0059]いくつかの態様において、熱供給源は熱パッドを含む。いくつかの態様において、熱供給源は固体支持体と直接接触している。いくつかの態様において、熱供給源は固体支持体と間接的に接触している。いくつかの態様において、熱供給源は固体支持体のごく近傍にある。本発明をいかなる理論または機構に限定することも望ましくないが、熱供給源は、試料を含む固体支持体（例えばスライド）と直接接触しているか、間接的に接触しているか、またはごく近傍にあるか、いずれかであるため、熱供給源は、スライドおよび試料および緩衝剤を含む溶液を、ある温度、例えば熱供給源のものと類似の温度に加熱することが可能であると考えられる。
【００４８】
[0060]いくつかの態様において、溶液の緩衝剤はクエン酸を含む。いくつかの態様において、緩衝剤を含む溶液は、５〜７のｐＨを有する。いくつかの態様において、緩衝剤を含む溶液は、５〜６．５のｐＨを含む。いくつかの態様において、緩衝剤を含む溶液は、少なくとも４．５のｐＨを有する。いくつかの態様において、緩衝剤を含む溶液は、少なくとも５のｐＨを有する。いくつかの態様において、緩衝剤を含む溶液は、少なくとも５．５のｐＨを有する。いくつかの態様において、緩衝剤を含む溶液は、５〜１０、５〜９、５〜８．３、５〜８、５〜７、５〜６．５、５．５〜８、５．５〜７、５．５〜６．５、５．８〜６．３、４〜９、４〜８、５〜６、４〜７．５、５．５〜６．２、５．９〜６．９等のｐＨを有する。
【００４９】
[0061]いくつかの態様において、緩衝剤を含む溶液は、５ｍＭ〜２０ｍＭのクエン酸濃度を有する。いくつかの態様において、緩衝剤を含む溶液は、１ｍＭ〜５０ｍＭのクエン酸濃度を有する。いくつかの態様において、緩衝剤を含む溶液は、８ｍＭ、１０ｍＭ、１２ｍＭ、１４ｍＭ、１５ｍＭ、１８ｍＭ等のクエン酸濃度を有する。いくつかの態様において、緩衝剤はクエン酸および酢酸を含む。いくつかの態様において緩衝剤はクエン酸および酢酸であり、そしてクエン酸は５ｍＭ〜２０ｍＭの濃度である。緩衝剤は、酢酸、ＭＥＳ、クエン酸、リン酸クエン酸、リン酸、ｔｒｉｓ、ホウ酸、重炭酸／炭酸、および炭酸緩衝剤からなる群より選択される１またはそれより多くであることも可能である。
【００５０】
[0062]いくつかの態様において、緩衝剤を含む溶液は、キレート剤、例えばクエン酸、ＥＧＴＡ、ＥＤＴＡ、ホスホネート等を含む。いくつかの態様において、緩衝剤を含む溶液は、界面活性剤をさらに含む。界面活性剤には、限定されるわけではないが、ドデシル硫酸ナトリウム（ＳＤＳ）、ラウリル硫酸ナトリウム（ＳＬＳ）、ドデシル硫酸アンモニウム（ＡＤＳ）、ドデシル硫酸水素（ＨＤＳ）、およびドデシル硫酸ｔｒｉｓ（ヒドロキシメチル）アミノメタン等、またはその組み合わせが含まれる。いくつかの態様において、界面活性剤の割合は、０．１％、０．２％、０．３％、０．４％、０．５％、０．６％、０．０１％〜５％、０．０５％〜３％、０．１％〜１％等である。いくつかの態様において、緩衝剤を含む溶液は、洗剤（ｄｅｔｅｒｇｅｎｔ）、例えばＣｏｌａｔｅｒｇｅ  ＬＦＤ−Ｃをさらに含む。いくつかの態様において、洗剤の割合（例えばｗ／ｖ）は、１％〜１５％、例えば３％、４％、５％、６％、７％、８％、９％、１０％、１％〜３％等である。本発明は前述の界面活性剤、緩衝剤、およびその濃度に限定されない。
【００５１】
[0063]固体支持体上に（例えば固体支持体のすべてまたは一部、例えば試料の上に）沈着される、緩衝剤を含む溶液の体積は、約５００μｌから約２〜４ｍｌの範囲であってもよい。この体積は、ある体積対表面積比を提供し、ここで溶液の特定の体積は、固体支持体（例えばスライド）の特定の領域を覆う。例えば、いくつかの態様において、溶液は、固体支持体（例えばスライド）のすべてまたは一部のいずれかの上の、５μｌ／ｃｍ２〜５００μｌ／ｃｍ２被覆の体積対表面積比を提供し、例えば５μｌ〜５００μｌが固体支持体（または固体支持体上の試料の領域）の各平方センチメートルを覆う。本発明はこの体積または表面積被覆に限定されない。溶液の体積は、独立したパドルであってもよい。いくつかの態様において、溶液の体積は、５μｌ／ｃｍ２〜５００μｌ／ｃｍ２の体積対表面積比で試料を覆う。いくつかの態様において、溶液の体積は、１０μｌ／ｃｍ２〜２００μｌ／ｃｍ２の体積対表面積比で試料を覆う。いくつかの態様において、溶液の体積は、５μｌ／ｃｍ２〜１００μｌ／ｃｍ２の体積対表面積比で試料を覆う。
【００５２】
熱供給源および緩衝剤を含む溶液の加熱
[0064]熱供給源は、出発熱供給源温度からターゲット熱供給源温度またはそれより高い温度に、ある長さの時間に渡って加熱される。熱供給源の加熱は、出発緩衝剤温度から第二の温度への、緩衝剤を含む溶液の温度の上昇を生じる。出発熱供給源温度、ターゲット熱供給源温度、出発緩衝剤温度、および／または第二の温度は、各々、緩衝剤を含む溶液の沸点未満であることも可能である。図１Ｂは、熱供給源のある時間に渡る加熱の模式図を示す。本発明をいかなる理論または機構に限定することも望ましくないが、熱供給源が、試料を含むスライドに直接接触しているかまたはごく近接しているかいずれかであるため、熱供給源は、スライドおよび試料（および緩衝剤）を熱供給源のものと類似の温度に加熱することが可能であると考えられる。
【００５３】
[0065]熱供給源は、出発熱供給源温度（例えば１８℃〜４２℃）からターゲット熱供給源温度（またはターゲット熱供給源温度より高い温度）、例えば８０℃〜９８℃に、加熱され（例えば特定の速度、例えば緩慢な速度、例えば１分あたり約５〜８℃から１分あたり約１２〜１５℃で）、ここでターゲット熱供給源温度（またはターゲット熱供給源温度より高い温度）は、緩衝剤を含む溶液の沸点未満である。熱供給源は、特定の長さの時間、ターゲット熱供給源温度（またはターゲット熱供給源温度より高い温度）に保持されることも可能である。
【００５４】
[0066]いくつかの態様において、出発緩衝剤温度は５０℃未満である。いくつかの態様において、出発緩衝剤温度は４５℃未満である。いくつかの態様において、出発緩衝剤温度は４２℃未満である。いくつかの態様において、出発緩衝剤温度は４０℃未満である。いくつかの態様において、出発緩衝剤温度は３７℃未満である。いくつかの態様において、出発緩衝剤温度は３５℃未満である。いくつかの態様において、出発緩衝剤温度は３２℃未満である。いくつかの態様において、出発緩衝剤温度は３０℃未満である。いくつかの態様において、出発緩衝剤温度は２８℃未満である。いくつかの態様において、出発緩衝剤温度は２５℃未満である。いくつかの態様において、出発緩衝剤温度は２２℃未満である。いくつかの態様において、出発緩衝剤温度は１８℃〜４２℃である。いくつかの態様において、出発緩衝剤温度は２０℃〜３７℃である。いくつかの態様において、出発緩衝剤温度は２２℃〜３０℃である。いくつかの態様において、出発緩衝剤温度は１５℃〜４２℃である。いくつかの態様において、出発緩衝剤温度は２０℃である。いくつかの態様において、出発緩衝剤温度は２５℃である。いくつかの態様において、出発緩衝剤温度は３０℃である。いくつかの態様において、出発緩衝剤温度は３２℃である。いくつかの態様において、出発緩衝剤温度は３７℃である。いくつかの態様において、出発緩衝剤温度は４０℃である。いくつかの態様において、出発緩衝剤温度は４５℃である。
【００５５】
[0067]いくつかの態様において、出発熱供給源温度は５０℃未満である。いくつかの態様において、出発熱供給源温度は４５℃未満である。いくつかの態様において、出発熱供給源温度は４２℃未満である。いくつかの態様において、出発熱供給源温度は４０℃未満である。いくつかの態様において、出発熱供給源温度は３７℃未満である。いくつかの態様において、出発熱供給源温度は３５℃未満である。いくつかの態様において、出発熱供給源温度は３２℃未満である。いくつかの態様において、出発熱供給源温度は３０℃未満である。いくつかの態様において、出発熱供給源温度は２８℃未満である。いくつかの態様において、出発熱供給源温度は２５℃未満である。いくつかの態様において、出発熱供給源温度は２２℃未満である。いくつかの態様において、出発熱供給源温度は１８℃〜４２℃である。いくつかの態様において、出発熱供給源温度は２０℃〜３７℃である。いくつかの態様において、出発熱供給源温度は２２℃〜３０℃である。いくつかの態様において、出発熱供給源温度は１５℃〜４２℃である。いくつかの態様において、出発熱供給源温度は２０℃である。いくつかの態様において、出発熱供給源温度は２５℃である。いくつかの態様において、出発熱供給源温度は３０℃である。いくつかの態様において、出発熱供給源温度は３２℃である。いくつかの態様において、出発熱供給源温度は３７℃である。いくつかの態様において、出発熱供給源温度は４０℃である。いくつかの態様において、出発熱供給源温度は４５℃である。
【００５６】
[0068]いくつかの態様において、ターゲット熱供給源温度は７５℃である。いくつかの態様において、ターゲット熱供給源温度は７６℃である。いくつかの態様において、ターゲット熱供給源温度は７７℃である。いくつかの態様において、ターゲット熱供給源温度は７８℃である。いくつかの態様において、ターゲット熱供給源温度は７９℃である。いくつかの態様において、ターゲット熱供給源温度は８０℃である。いくつかの態様において、ターゲット熱供給源温度は８１℃である。いくつかの態様において、ターゲット熱供給源温度は８２℃である。いくつかの態様において、ターゲット熱供給源温度は８３℃である。いくつかの態様において、ターゲット熱供給源温度は８４℃である。いくつかの態様において、ターゲット熱供給源温度は８５℃である。いくつかの態様において、ターゲット熱供給源温度は８６℃である。いくつかの態様において、ターゲット熱供給源温度は８７℃である。いくつかの態様において、ターゲット熱供給源温度は８８℃である。いくつかの態様において、ターゲット熱供給源温度は８９℃である。いくつかの態様において、ターゲット熱供給源温度は９０℃である。いくつかの態様において、ターゲット熱供給源温度は９１℃である。いくつかの態様において、ターゲット熱供給源温度は９２℃である。いくつかの態様において、ターゲット熱供給源温度は９３℃である。いくつかの態様において、ターゲット熱供給源温度は９４℃である。いくつかの態様において、ターゲット熱供給源温度は９５℃である。いくつかの態様において、ターゲット熱供給源温度は９６℃である。いくつかの態様において、ターゲット熱供給源温度は９７℃である。いくつかの態様において、ターゲット熱供給源温度は９８℃である。いくつかの態様において、ターゲット熱供給源温度は９９℃である。いくつかの態様において、ターゲット熱供給源温度は１００℃である。いくつかの態様において、ターゲット熱供給源温度は７５℃〜１００℃である。いくつかの態様において、ターゲット熱供給源温度は８０℃〜１００℃である。いくつかの態様において、ターゲット熱供給源温度は８０℃〜９８℃である。いくつかの態様において、ターゲット熱供給源温度は８５℃〜１００℃である。いくつかの態様において、ターゲット熱供給源温度は８５℃〜９８℃である。いくつかの態様において、ターゲット熱供給源温度は８５℃〜９５℃である。いくつかの態様において、ターゲット熱供給源温度は少なくとも７５℃である。いくつかの態様において、ターゲット熱供給源温度は少なくとも８０℃である。いくつかの態様において、ターゲット熱供給源温度は少なくとも８５℃である。いくつかの態様において、ターゲット熱供給源温度は少なくとも９０℃である。いくつかの態様において、ターゲット熱供給源温度は少なくとも９５℃である。
【００５７】
[0069]いくつかの態様において、緩衝剤を含む溶液の第二の温度は、ターゲット熱供給源温度と同じである。いくつかの態様において、緩衝剤を含む溶液の第二の温度は７５℃である。いくつかの態様において、緩衝剤を含む溶液の第二の温度は７６℃である。いくつかの態様において、緩衝剤を含む溶液の第二の温度は７７℃である。いくつかの態様において、緩衝剤を含む溶液の第二の温度は７８℃である。いくつかの態様において、緩衝剤を含む溶液の第二の温度は７９℃である。いくつかの態様において、緩衝剤を含む溶液の第二の温度は８０℃である。いくつかの態様において、緩衝剤を含む溶液の第二の温度は８１℃である。いくつかの態様において、緩衝剤を含む溶液の第二の温度は８２℃である。いくつかの態様において、緩衝剤を含む溶液の第二の温度は８３℃である。いくつかの態様において、緩衝剤を含む溶液の第二の温度は８４℃である。いくつかの態様において、緩衝剤を含む溶液の第二の温度は８５℃である。いくつかの態様において、緩衝剤を含む溶液の第二の温度は８６℃である。いくつかの態様において、緩衝剤を含む溶液の第二の温度は８７℃である。いくつかの態様において、緩衝剤を含む溶液の第二の温度は８８℃である。いくつかの態様において、緩衝剤を含む溶液の第二の温度は８９℃である。いくつかの態様において、緩衝剤を含む溶液の第二の温度は９０℃である。いくつかの態様において、緩衝剤を含む溶液の第二の温度は９１℃である。いくつかの態様において、緩衝剤を含む溶液の第二の温度は９２℃である。いくつかの態様において、緩衝剤を含む溶液の第二の温度は９３℃である。いくつかの態様において、緩衝剤を含む溶液の第二の温度は９４℃である。いくつかの態様において、緩衝剤を含む溶液の第二の温度は９５℃である。いくつかの態様において、緩衝剤を含む溶液の第二の温度は９６℃である。いくつかの態様において、緩衝剤を含む溶液の第二の温度は９７℃である。いくつかの態様において、緩衝剤を含む溶液の第二の温度は９８℃である。いくつかの態様において、緩衝剤を含む溶液の第二の温度は９９℃である。いくつかの態様において、緩衝剤を含む溶液の第二の温度は１００℃である。いくつかの態様において、緩衝剤を含む溶液の第二の温度は７５℃〜１００℃である。いくつかの態様において、緩衝剤を含む溶液の第二の温度は８０℃〜１００℃である。いくつかの態様において、緩衝剤を含む溶液の第二の温度は８０℃〜９８℃である。いくつかの態様において、緩衝剤を含む溶液の第二の温度は８５℃〜１００℃である。いくつかの態様において、緩衝剤を含む溶液の第二の温度は８５℃〜９８℃である。いくつかの態様において、緩衝剤を含む溶液の第二の温度は８５℃〜９５℃である。いくつかの態様において、緩衝剤を含む溶液の第二の温度は少なくとも７５℃である。いくつかの態様において、緩衝剤を含む溶液の第二の温度は少なくとも８０℃である。いくつかの態様において、緩衝剤を含む溶液の第二の温度は少なくとも８５℃である。いくつかの態様において、緩衝剤を含む溶液の第二の温度は少なくとも９０℃である。いくつかの態様において、緩衝剤を含む溶液の第二の温度は少なくとも９５℃である。
【００５８】
[0070]いくつかの態様において、熱供給源を出発熱供給源温度からターゲット熱供給源温度またはそれより高い温度に加熱する時間の長さは、少なくとも１分間である。いくつかの態様において、熱供給源を出発熱供給源温度からターゲット熱供給源温度またはそれより高い温度に加熱する時間の長さは、少なくとも２分間である。いくつかの態様において、熱供給源を出発熱供給源温度からターゲット熱供給源温度またはそれより高い温度に加熱する時間の長さは、少なくとも３分間である。いくつかの態様において、熱供給源を出発熱供給源温度からターゲット熱供給源温度またはそれより高い温度に加熱する時間の長さは、少なくとも４分間である。いくつかの態様において、熱供給源を出発熱供給源温度からターゲット熱供給源温度またはそれより高い温度に加熱する時間の長さは、少なくとも５分間である。いくつかの態様において、熱供給源を出発熱供給源温度からターゲット熱供給源温度またはそれより高い温度に加熱する時間の長さは、少なくとも６分間である。いくつかの態様において、熱供給源を出発熱供給源温度からターゲット熱供給源温度またはそれより高い温度に加熱する時間の長さは、少なくとも７分間である。いくつかの態様において、熱供給源を出発熱供給源温度からターゲット熱供給源温度またはそれより高い温度に加熱する時間の長さは、少なくとも８分間である。いくつかの態様において、熱供給源を出発熱供給源温度からターゲット熱供給源温度またはそれより高い温度に加熱する時間の長さは、少なくとも９分間である。いくつかの態様において、熱供給源を出発熱供給源温度からターゲット熱供給源温度またはそれより高い温度に加熱する時間の長さは、少なくとも１０分間である。いくつかの態様において、熱供給源を出発熱供給源温度からターゲット熱供給源温度またはそれより高い温度に加熱する時間の長さは、少なくとも１２分間である。いくつかの態様において、熱供給源を出発熱供給源温度からターゲット熱供給源温度またはそれより高い温度に加熱する時間の長さは、少なくとも１４分間である。いくつかの態様において、熱供給源を出発熱供給源温度からターゲット熱供給源温度またはそれより高い温度に加熱する時間の長さは、少なくとも１６分間である。いくつかの態様において、熱供給源を出発熱供給源温度からターゲット熱供給源温度またはそれより高い温度に加熱する時間の長さは、少なくとも１８分間である。いくつかの態様において、熱供給源を出発熱供給源温度からターゲット熱供給源温度またはそれより高い温度に加熱する時間の長さは、少なくとも２０分間である。いくつかの態様において、熱供給源を出発熱供給源温度からターゲット熱供給源温度またはそれより高い温度に加熱する時間の長さは、２〜２０分間である。いくつかの態様において、熱供給源を出発熱供給源温度からターゲット熱供給源温度またはそれより高い温度に加熱する時間の長さは、４〜２０分間である。いくつかの態様において、熱供給源を出発熱供給源温度からターゲット熱供給源温度またはそれより高い温度に加熱する時間の長さは、８〜２０分間である。いくつかの態様において、熱供給源を出発熱供給源温度からターゲット熱供給源温度またはそれより高い温度に加熱する時間の長さは、８〜１６分間である。
【００５９】
[0071]いくつかの態様において、熱供給源は、出発熱供給源温度から、少なくともターゲット熱供給源温度まで、１分あたり９〜１１℃の速度で加熱される。いくつかの態様において、熱供給源は、出発熱供給源温度から、少なくともターゲット熱供給源温度まで、１分あたり８〜１２℃の速度で加熱される。いくつかの態様において、熱供給源は、出発熱供給源温度から、少なくともターゲット熱供給源温度まで、１分あたり８〜１５℃の速度で加熱される。いくつかの態様において、熱供給源は、出発熱供給源温度から、少なくともターゲット熱供給源温度まで、１分あたり５〜１５℃の速度で加熱される。いくつかの態様において、熱供給源は、出発熱供給源温度から、少なくともターゲット熱供給源温度まで、１分あたり１０〜１５℃の速度で加熱される。いくつかの態様において、熱供給源は、出発熱供給源温度から、少なくともターゲット熱供給源温度まで、１分あたり５〜２０℃の速度で加熱される。いくつかの態様において、熱供給源は、出発熱供給源温度から、少なくともターゲット熱供給源温度まで、１分あたり８〜２０℃の速度で加熱される。いくつかの態様において、熱供給源は、出発熱供給源温度から、少なくともターゲット熱供給源温度まで、１分あたり少なくとも５℃の速度で加熱される。いくつかの態様において、熱供給源は、出発熱供給源温度から、少なくともターゲット熱供給源温度まで、１分あたり少なくとも８℃の速度で加熱される。いくつかの態様において、熱供給源は、出発熱供給源温度から、少なくともターゲット熱供給源温度まで、１分あたり少なくとも１０℃の速度で加熱される。いくつかの態様において、熱供給源は、出発熱供給源温度から、少なくともターゲット熱供給源温度まで、１分あたり２０℃未満の速度で加熱される。いくつかの態様において、熱供給源は、出発熱供給源温度から、少なくともターゲット熱供給源温度まで、１分あたり１５℃未満の速度で加熱される。いくつかの態様において、熱供給源は、出発熱供給源温度から、少なくともターゲット熱供給源温度まで、１分あたり１２℃未満の速度で加熱される。いくつかの態様において、熱供給源は、出発熱供給源温度から、少なくともターゲット熱供給源温度まで、１分あたり１０℃未満の速度で加熱される。いくつかの態様において、熱供給源は、出発熱供給源温度から、少なくともターゲット熱供給源温度まで、１分あたり５℃未満の速度で加熱される。
【００６０】
[0072]いくつかの態様において、熱供給源は、ターゲット熱供給源温度またはそれより高い温度に、少なくとも１５秒間ある。いくつかの態様において、熱供給源は、ターゲット熱供給源温度またはそれより高い温度に、少なくとも３０秒間ある。いくつかの態様において、熱供給源は、ターゲット熱供給源温度またはそれより高い温度に、少なくとも１分間ある。いくつかの態様において、熱供給源は、ターゲット熱供給源温度またはそれより高い温度に、少なくとも２分間ある。いくつかの態様において、熱供給源は、ターゲット熱供給源温度またはそれより高い温度に、少なくとも３分間ある。いくつかの態様において、熱供給源は、ターゲット熱供給源温度またはそれより高い温度に、少なくとも４分間ある。いくつかの態様において、熱供給源は、ターゲット熱供給源温度またはそれより高い温度に、少なくとも５分間ある。いくつかの態様において、熱供給源は、ターゲット熱供給源温度またはそれより高い温度に、少なくとも８分間ある。いくつかの態様において、熱供給源は、ターゲット熱供給源温度またはそれより高い温度に、少なくとも１０分間ある。いくつかの態様において、熱供給源は、ターゲット熱供給源温度またはそれより高い温度に、２分間〜１０分間ある。いくつかの態様において、熱供給源は、ターゲット熱供給源温度またはそれより高い温度に、２分間〜１６分間ある。いくつかの態様において、熱供給源は、ターゲット熱供給源温度またはそれより高い温度に、２分間〜２０分間ある。いくつかの態様において、熱供給源は、ターゲット熱供給源温度またはそれより高い温度に、５分間〜１０分間ある。いくつかの態様において、熱供給源は、ターゲット熱供給源温度またはそれより高い温度に、５分間〜１６分間ある。いくつかの態様において、熱供給源は、ターゲット熱供給源温度またはそれより高い温度に、５分間〜２０分間ある。いくつかの態様において、熱供給源は、ターゲット熱供給源温度またはそれより高い温度に、８分間〜２０分間ある。
【００６１】
[0073]いくつかの態様において、試料は、処理および新規ＰＢＥの添加の間に洗浄される（１回、２回、３回、３回より多く等）。
ターゲット試料温度または加熱温度への試料の加熱
[0074]いくつかの態様において、方法は、５またはそれより高いｐＨを有する緩衝剤を含む溶液の存在下での試料の加熱を含み、ここで試料は、ターゲット試料温度まで加熱される（例えば試料が沈着している支持体は、特定の試料ターゲット試料温度まで加熱され、ここで試料が沈着している支持体の温度は、試料の温度と同じである可能性が高い）か、または試料は加熱試料温度まで加熱され、例えば試料は加熱試料温度の存在下でインキュベーションされ、例えば加熱試料温度は、試料が曝露される温度を指す。加熱試料温度は、例えば試料がどのくらい長く加熱試料温度に曝露されたかに応じて、必ずしも試料を同じ温度に到達させなくてもよい。
【００６２】
[0075]試料を、ターゲット試料温度で、または加熱試料温度の存在下で、ある長さの時間に渡って加熱してもよい。時間は、第一のＰＢＥが試料中でさらに検出される能力を減少させる（例えば第一のＰＢＥの存在を減少させる、第一のＰＢＥの活性および／または検出可能性を減少させる）ために十分であってもよい。ターゲット試料温度および加熱試料温度は、緩衝剤を含む溶液の沸点未満である。いくつかの態様において、ターゲット試料温度および／または加熱試料温度は、７０℃〜１００℃、７５℃またはそれより高い、８０℃またはそれより高い、９０℃またはそれより高い等である。
【００６３】
[0076]試料がターゲット試料温度にあるかまたは加熱試料温度に加熱される時間の長さは、１〜２０分間（例えば１〜１６分間、２〜１６分間、４〜１６分間、５〜１６分間、６〜１６分間、１８分間またはそれ未満、１０分間またはそれ未満、８分間またはそれ未満等）である。本発明の方法に用いる自動化スライド染色装置は、スライド／試料をターゲット試料温度に加熱するためにさらなる時間を必要とする可能性もあり、例えばスライド／試料は、ターゲット試料温度に、上記の明記する時間（保持時間）に渡ってあってもよいが、スライド／試料をターゲット試料温度にする機械の加熱工程は、保持時間よりも長いであろう。
【００６４】
[0077]いくつかの態様において、試料は、９０℃のターゲット試料温度まで、３分間、４分間、５分間、６分間、７分間、８分間、９分間、１０分間、１０分間を超える等の期間に渡って、上昇される。例として、試料は３７℃であり、そして８分間の期間に渡って９０℃に上昇される（温度はゆっくりと９０℃まで上昇する）。いくつかの態様において、試料は、９０℃〜９９℃のターゲット試料温度まで、３分間、４分間、５分間、６分間、７分間、８分間、９分間、１０分間、１０分間を超える等の期間に渡って、上昇される。いくつかの態様において、試料は、８０℃〜９０℃のターゲット試料温度まで、３分間、４分間、５分間、６分間、７分間、８分間、９分間、１０分間、１０分間を超える等の期間に渡って、上昇される。いくつかの態様において、試料は、７５℃〜８５℃のターゲット試料温度まで、３分間、４分間、５分間、６分間、７分間、８分間、９分間、１０分間、１０分間を超える等の期間に渡って、上昇される。いくつかの態様において、試料は、７５℃〜９０℃のターゲット試料温度まで、３分間、４分間、５分間、６分間、７分間、８分間、９分間、１０分間、１０分間を超える等の期間に渡って、上昇される。いくつかの態様において、試料は、８０℃〜９９℃のターゲット試料温度まで、３分間、４分間、５分間、６分間、７分間、８分間、９分間、１０分間、１０分間を超える等の期間に渡って、上昇される。
【００６５】
[0078]いくつかの態様において、試料は加熱試料温度で、３分間、４分間、５分間、６分間、７分間、８分間、９分間、１０分間、１２分間、１３分間、１４分間、１５分間、１０分間を超える、１２分間を超える、１４分間を超える等の間、加熱される（例えば試料は加熱試料温度に曝露される）。
【００６６】
[0079]いくつかの態様において、特定の抗体（一次抗体）は、不活性化のために、特定のターゲット試料温度または加熱試料温度、処理時間（ターゲット試料温度または加熱試料温度での保持時間）、および／またはｐＨ組み合わせを必要とし、例えばすべての抗体が、不活性化のために、必ずしも同じターゲット試料温度または加熱試料温度、ｐＨ、および保持時間の組み合わせを必要としない可能性もある。処理の時間および温度のさらなる例を以下の表１に示す。本発明は、これらの実施例に限定されない。
【００６７】
表１
【００６８】
【表１−１】
2018514766.tif 000003
【００６９】
【表１−２】
2018514766.tif 000004
【００７０】
[0080]いくつかの態様において、本発明の熱化学処理（熱不活性化）法は、試料を、例えば９８℃の温度（例えば１００℃の名目上の温度または９８℃の実際の温度）に加熱する工程を含むが、本発明は、これらの温度に限定されない。例えば、いくつかの態様において、方法は、試料を９９℃の名目上の温度に加熱する工程を含む。いくつかの態様において、方法は、試料を９８℃の名目上の温度に加熱する工程を含む。いくつかの態様において、方法は、試料を９７℃の名目上の温度に加熱する工程を含む。いくつかの態様において、方法は、試料を９６℃等の名目上の温度に加熱する工程を含む。いくつかの態様において、実際の温度は９９℃である。いくつかの態様において、実際の温度は９８℃である。いくつかの態様において、実際の温度は９７℃である。いくつかの態様において、実際の温度は９６℃である。いくつかの態様において、実際の温度は９５℃等である。
【００７１】
[0081]いくつかの態様において、試料は、該温度に１２分間加熱される。いくつかの態様において、試料は、該温度に１１分間加熱される。いくつかの態様において、試料は、該温度に１０分間加熱される。いくつかの態様において、試料は、該温度に９分間加熱される。いくつかの態様において、試料は、該温度に８分間またはそれ未満の間、加熱される。いくつかの態様において、試料は、該温度に１３分間加熱される。いくつかの態様において、試料は、該温度に１４分間加熱される。いくつかの態様において、試料は、該温度に１５分間加熱される。いくつかの態様において、試料は、該温度に１６分間加熱される。いくつかの態様において、試料は、該温度に１７分間加熱される。いくつかの態様において、試料は、該温度に１８分間または１８分間より長く加熱される。
【００７２】
[0082]いくつかの態様において、加熱時間は、機械がターゲット試料温度まで上昇し始める時間とともに、試料が該温度にある時間の量を表す。いくつかの態様において、加熱時間は、試料が該温度にある時間の量を表す。いくつかの態様において、加熱時間は、機械がターゲット試料温度まで上昇し始める時間、試料が該温度にある時間の量、および試料がアッセイの次の工程の準備ができたために冷却されはじめる時間の量を表す。
【００７３】
タンパク質性結合実体（ＰＢＥ）
[0083]いくつかの態様において、方法は、第二のＰＢＥ（そして場合によって第三のＰＢＥ、第四のＰＢＥ、第五のＰＢＥ等）で工程を反復し、そしてＰＢＥとのインキュベーションの間の処理工程を反復する工程を含む。処理は、最後のＰＢＥインキュベーション後には行う必要はない。各検出可能部分は、ＰＢＥのターゲット位置に対応する位置で、試料において検出される（例えば視覚化される）ことが可能である。方法は、試料形態が、訓練を受けた読み取り者によって決定されるように許容可能であるままであるように、試料の品質を維持すべきである。
【００７４】
[0084]いくつかの態様において、方法は、試料を第一の一次抗体とインキュベーションし、そして試料を、第一の一次抗体に特異的な第一の二次抗体と、第一の一次抗体がターゲットに結合する部位で検出可能部分が沈着する方式で、インキュベーションし；試料を処理して、上述のように試料中で一次抗体がさらに検出される能力を減少させ、少なくとも第二の一次抗体および第二の一次抗体に特異的な第二の二次抗体とのインキュベーションを反復し；そして一次／二次抗体とのインキュベーションの各反復間で処理を反復する工程を含む。
【００７５】
[0085]いくつかの態様において、第一の一次抗体および第二の一次抗体は、各々、タグ（例えばハプテン、エピトープタグ等）を含む。いくつかの態様において、第一の一次抗体のタグ（例えばハプテン、エピトープタグ等）および第二の一次抗体のタグ（例えばハプテン、エピトープタグ等）は同じである。いくつかの態様において、第一の一次抗体のタグ（例えばハプテン、エピトープタグ等）および第二の一次抗体のタグ（例えばハプテン、エピトープタグ等）は異なる。いくつかの態様において、第二の二次抗体は第一の二次抗体と同じであるが、二次抗体は異なる検出可能標識を有する。
【００７６】
[0086]いくつかの態様において、単一の固体支持体上の同じ試料において、少なくとも２つのターゲット（例えば２つ、３つ、４つ、５つ等）を検出する方法は、ＰＢＥがＰＢＥのターゲットに結合する部位で、検出可能部分を沈着させる方式で、第一の外因性タンパク質性結合実体（ＰＢＥ）と試料をインキュベーションする工程を含んでもよい。例えば、これは、試料を、第一の一次抗体および第一の一次抗体に特異的な第一の二次抗体（例えば第一の一次抗体上のタグ（例えばハプテン、エピトープタグ等）に特異的な二次抗体、一次抗体の種に特異的な二次抗体等）とインキュベーションする工程を含んでもよい。二次抗体は、例えば検出可能部分で標識されていてもよい。検出可能部分は、ＰＢＥがターゲット（例えば一次抗体が結合するターゲット）に結合した部位で沈着可能である。いくつかの態様において、試料を一次抗体、二次抗体（例えば一次抗体に特異的なタグ（例えばハプテン、エピトープタグ等）を含む二次抗体（例えば二次抗体は抗種、抗ハプテン等であってもよい））、および二次抗体に特異的な（例えば標識された）三次抗体（例えば三次抗体は抗タグ（例えば抗ハプテン）等であってもよい）とインキュベーションする。
【００７７】
[0087]先に論じたように、第一のＰＢＥは第一の一次抗体を含んでもよい。試料を、第一の抗体に特異的な二次抗体（例えば標識を含む）とインキュベーションしてもよく、そして標識が試料上（一次抗体の位置、例えばターゲット部位）に沈着される。さらに、第二のＰＢＥ（および場合によって続くＰＢＥ）もまた、一次抗体を含んでもよく、そして試料を、これらの一次抗体に特異的な二次抗体（例えば標識を含む）とインキュベーションしてもよい。いくつかの態様において、一次抗体は、各々タグ（例えばハプテン、エピトープタグ等）を含む（そして二次抗体はそれぞれのタグに特異的である）。いくつかの態様において、二次抗体は、抗種抗体であり、そしてタグ（例えばハプテン、エピトープタグ等）を含み、そして標識されている三次抗体を用いて、検出可能部分を試料上に沈着させる。いくつかの態様において、第一の一次抗体のタグ（例えばハプテン、エピトープタグ等）および第二の一次抗体のタグ（例えばハプテン、エピトープタグ等）は同じである。いくつかの態様において、二次抗体のタグ（例えばハプテン、エピトープタグ等）は同じである。いくつかの態様において、第一の一次抗体のタグ（例えばハプテン、エピトープタグ等）および第二の一次抗体のタグ（例えばハプテン、エピトープタグ等）は異なる。いくつかの態様において、二次抗体のタグ（例えばハプテン、エピトープタグ等）は異なる。いくつかの態様において、第一の二次抗体は、第二の二次抗体と、二次抗体が異なる検出可能標識を有することを除いて、同じである。いくつかの態様において、三次抗体は同じ（例えば抗タグ、例えば抗ハプテン、例えば同じタグ／ハプテンに向けられる）であるが、検出可能標識が異なる。
【００７８】
自動化システム
[0088]本発明の方法は自動化されている。いくつかの態様において、本発明の方法は、閉鎖システム（例えば自動化システム）中で行われ、ここで、方法は手動工程を含まない。例えば、本明細書において、用語「閉鎖システム」は、あらかじめプログラムされた自動化法を指すことも可能である。用語「閉鎖システム」は、各工程が自動化され、例えば各工程が手動工程での中断なしに行われる方法を指すことも可能である。例えば、方法は、閉鎖システム中で実行されてもよく、そして熱化学処理工程が閉鎖システム中に組み込まれる（熱化学処理は手動工程ではない）。
【００７９】
[0089]本発明はまた、本発明の方法を実行するようプログラムされたシステムおよび自動化スライド染色装置も特徴とする。例えば、本発明は、本発明の方法を実行するようプログラムされた自動化スライド染色装置を特徴とする。いくつかの態様において、自動化スライド染色装置は、プロセッサおよびプロセッサにカップリングしたメモリを含む。メモリは、プロセッサによって実行された際、プロセッサに多様な作業を実行させるコンピュータ読み取り可能命令を保存する。こうした作業には、限定されるわけではないが：スライド染色装置に、少なくとも第一の外因性ＰＢＥ（例えば一次抗体、一次抗体および標識二次抗体）と試料を、そのターゲット近傍にＰＢＥの沈着を生じる方式でインキュベーションさせるかまたは接触させる命令；スライド染色装置に、試薬と試料を、ＰＢＥの近傍に検出可能部分の特異的沈着を生じる方式で接触させる命令；スライド染色装置に、クエン酸緩衝剤を含む溶液の体積と試料を接触させる命令であって、クエン酸緩衝剤を含む溶液が、該クエン酸緩衝剤を含む溶液の沸点未満である、出発緩衝剤温度である、前記命令；スライド染色装置に、固体支持体と熱供給源を接触させる命令；およびスライド染色装置に、熱供給源を、出発熱供給源温度から少なくともターゲット熱供給源温度まで、ある長さの時間に渡って加熱させる命令であって、クエン酸緩衝剤を含む溶液が、出発緩衝剤温度から第二の緩衝剤温度に上昇し、ターゲット熱供給源温度および第二の緩衝剤温度が、該クエン酸緩衝剤を含む溶液の沸点未満である、前記命令が含まれてもよい。いくつかの態様において、作業には：スライド染色装置に、第二のＰＢＥまたはさらなるＰＢＥでプロセスを反復させる命令が含まれる。いくつかの場合、作業には：スライド染色装置に、熱化学処理後（例えば続くＰＢＥの適用前）、試料を洗浄させる命令が含まれる。
【００８０】
[0090]いくつかの態様において、スライド染色装置は、第一のＰＢＥを試料上に分配するための少なくとも第一の分配装置を含む。いくつかの態様において、スライド染色装置は、第二のＰＢＥを試料上に分配するための少なくとも第二の分配装置を含む。いくつかの態様において、スライド染色装置は複数の抗体分配装置を含む。いくつかの態様において、スライド染色装置は、緩衝剤を含む溶液を試料上に分配するための分配装置をさらに含む。いくつかの態様において、スライド染色装置は熱供給源（例えば熱パッド）を含む。いくつかの態様において、スライド染色装置は、洗浄緩衝剤を試料上に分配するための分配装置を含む。
【００８１】
[0091]本発明はまた、スライド上に沈着した試料上に、緩衝剤を含む溶液を分配するように適応した緩衝剤リザーバー；熱供給源；少なくとも第一の一次抗体および第二の一次抗体と試料を接触させるように適応した少なくとも１つの抗体分配装置（例えば第一の一次抗体用の第一の抗体分配装置、第二の二次抗体用の第二の抗体分配装置、複数の抗体分配装置等）；ならびに第一の一次抗体および第二の一次抗体の両方に結合可能な二次抗体；ならびに構成要素（例えば緩衝剤リザーバー、熱供給源、抗体分配装置等）が本発明の方法を実行するように命令するよう適応したコントロールモジュールを含むシステムも特徴とする。抗体はあらかじめ希釈されていてもよい。
【００８２】
[0092]本発明はまた、本発明の方法を用いて得た標識組織試料を含む組成物などの組成物も特徴とする。本発明はまた、組織試料を含むスライドを含み、組織試料は一次抗体、二次抗体および標識を含み、組織試料は、５またはそれより高いｐＨを有する緩衝剤を含む溶液の存在下で、ターゲット試料温度または加熱試料温度（例えば緩衝剤を含む溶液の沸点未満）でインキュベーションされる。
【００８３】
[0093]本発明はまた、多重標識の自動化法も特徴とする。いくつかの態様において、方法は、本明細書に記載するような熱化学処理を用いて、第一の一次抗体、および第一の検出可能標識を含む二次抗体で標識した細胞試料を含有するスライドを加熱する工程を含む。次いで、熱殺細胞試料を、第二の一次抗体、および第二の検出可能標識を含む第二の二次抗体で標識する。いくつかの態様において、二次抗体は、検出標識の同一性のみが異なる。
【００８４】
[0094]本発明はまた、単一細胞試料の多重標識のための自動化法も特徴とする。いくつかの態様において、方法は、複数の標識工程、および各標識工程の間に実行される熱殺工程を含み；各標識工程は、細胞試料を、一組の１またはそれより多い一次抗体および検出可能に標識された二次抗体と、各一次抗体がそのターゲットに特異的に結合し、各二次抗体が一次抗体に結合するために十分な条件下で接触させる工程を含み、各二次抗体は組のうち単一の一次抗体にのみ結合可能であり；そして各熱殺工程は本明細書に記載する通りである。
【００８５】
[0095]いくつかの態様において、一次抗体および検出可能に標識された二次抗体の組の少なくとも２つは、異なる検出可能標識を含有する同じ二次抗体を含む。いくつかの態様において、同じ二次抗体は種特異的二次抗体である。いくつかの態様において、同じ二次抗体はアイソタイプ特異的二次抗体である。いくつかの態様において、同じ二次抗体は抗タグ抗体（例えば抗ハプテン抗体、抗エピトープタグ抗体等）である。
【００８６】
[0096]本発明はまた、固定細胞試料中の一次／二次抗体対を排除する方法も特徴とする。いくつかの態様において、方法は、本発明記載の熱化学処理法を含む。
[0097]本発明をいかなる理論または機構に限定することも望ましくないが、本発明の方法、組成物、およびシステムは、自動化染色デバイス（例えばＶｅｎｔａｎａ  ＢｅｎｃｈＭａｒｋ、Ｄａｋｏ、Ｌｅｉｃａ  Ｂｏｎｄ等）における自動化アッセイに有益でありうると考えられる。こうした自動化デバイスは、すでに、緩衝剤および試薬を分配し、そして試料を多様な温度（例えば３７℃〜９０℃、３７℃〜９５℃、３７℃〜９９℃等）に加熱するように適応しており、一方、こうした自動化デバイスは、試料をマイクロ波処理するか、または試料を非常に高い温度、例えば１３０℃に加熱するようには適応していない。
【００８７】
[0098]以前論じたように、本発明の方法は自動化され、例えば自動化染色装置において特徴付けられる。本発明をいかなる理論または機構に限定することも望ましくないが、いくつかの態様において、方法は、試料をマイクロ波処理に供することなく；いくつかの態様において、方法は、ホルムアルデヒド蒸気処理を伴わず；いくつかの態様において、方法は試料の品質の劣化を引き起こさない。
【００８８】
[0099]本発明をいかなる理論または機構に限定することも望ましくないが、本発明の組成物および方法は、高いモル浸透圧濃度、極端なｐＨ、および／またはカオトロピック剤を含まない緩衝剤を利用すると考えられる。本発明をいかなる理論または機構に限定することも望ましくないが、本発明の組成物および方法は、組織形態維持を補助し、そして／または同じ種由来の一次抗体を用いる場合は交差反応性の減少を補助すると考えられる。本発明をいかなる理論または機構に限定することも望ましくないが、本発明の組成物および方法は、異なる種由来の一次抗体を選択する必要性を排除すると考えられる。本発明をいかなる理論または機構に限定することも望ましくないが、本発明の組成物および方法は、自動化スライド染色システムにおける、免疫組織化学アッセイを可能にすると考えられる。
【００８９】
[00100]本発明は、以下の実施例によってさらに記載されうる。
【実施例】
【００９０】
[00101]以下の例は、本発明の方法、組成物、およびシステムを用いた実験の限定されない例を記載する。
[00102]実施例１：抗原（Ａｇ）／一次抗体（１ｓｔ  Ａｂ）／二次抗体（２ｎｄ  Ａｂ）複合体が形成された後の熱殺工程：扁桃腺スライド上の抗原／一次抗体／二次抗体複合体の不活性化。実施例１において、抗原はＣＤ２０であり、一次抗体はウサギ抗ＣＤ２０であり、そして二次抗体はヤギ抗ウサギＨＲＰである。ＤＡＢ検出を用いる（二次抗体のＨＲＰを検出するため）。設計：一次抗体（ウサギ抗ＣＤ２０）結合後、ヤギ抗ウサギＨＲＰを適用し、その後、本発明記載の処理工程（例えば熱化学処理工程、「熱殺」工程）を行い、そしてＤＡＢ検出を用いる。（対照実験は、ＤＡＢ検出工程前に熱殺工程を行わなかった。）結果を図２に示す。図２Ａは、二次抗体の適用およびＤＡＢ検出工程の間に熱殺工程を用いなかった、対照実験を示す。図２Ｂは、熱殺工程（熱殺工程は、９５℃のターゲット熱供給源温度を用いた；この例では、熱パッド／試料は９５℃でおよそ２．６分間であり、そして９０℃を超えて約２５０秒間であった）が、ＣＤ２０／ウサギ抗ＣＤ２０／ヤギ抗ウサギＨＲＰ複合体を不活性化可能であることを示す。この例では、自動化染色機械をプログラムして、９５℃のターゲット熱供給源温度に到達させ、そして時間設定のためのプログラミングパラメータは８分間であったことに注目されたい。この特定の自動化染色機械での温度および時間設定は、熱パッド／試料が９５℃でおよそ２．６分間、そして９０℃を超えて約２５０秒間であることを可能にした。他の機械は、特定のターゲット熱供給源温度（および期間）を達成するために、例えば９５℃の熱供給源温度で約２〜３分間を達成するために、異なるプログラミングパラメータを必要とする可能性があり、いくつかの機械は、熱パッドが緩慢な加熱速度を有する場合、より長い時間設定を必要とする可能性もある（例えば熱パッドは、出発熱供給源温度からターゲット熱供給源温度に到達するまで、より長い時間を必要としうる）ことに注目されたい。本発明は、本明細書記載のターゲット熱供給源温度、期間、またはプログラミングパラメータに限定されない。９０℃のターゲット熱供給源温度（熱供給源は９０℃で約２．５分間であり；機械は９０℃になるようにプログラムされ、そして機械の時間設定は８分間であった）、および９０℃のターゲット熱供給源温度（熱供給源は９０℃で約１０．６分間であり；機械は９０℃になるようにプログラミングされ、そして機械の時間設定は１２分間であった）、および９５℃のターゲット熱供給源温度（熱供給源は９５℃で約９．３分間であり；機械は９０℃になるようにプログラミングされ、そして機械の時間設定は１２分間であった）は、ＣＤ２０／ウサギ抗ＣＤ２０／ヤギ抗ウサギＨＲＰ複合体を不活性化可能であった（データ未提示）。この熱殺条件は、ＨＲＰ酵素活性の喪失を示し、必ずしもＣＤ２０／ウサギ抗ＣＤ２０／ヤギ抗ウサギＨＲＰ複合体の変性／溶出を示さない可能性もあることに注目されたい。
【００９１】
[00103]実施例２：抗原／一次抗体複合体が形成された後（二次抗体の前）の熱殺工程：扁桃腺スライド中の抗原／一次抗体複合体の不活性化。実施例２において、抗原はＣＤ２０であり、そして一次抗体はウサギ抗ＣＤ２０である。設計：ウサギ抗ＣＤ２０を適用し、その後、本発明記載の熱殺工程を行う。次いで、二次抗体（ヤギ抗ウサギＨＲＰ）を適用し、その後、ＤＡＢ検出工程が続く。（対照実験は、一次抗体インキュベーション後および二次抗体インキュベーション前に熱殺工程を含まなかった。）結果を図３に示す。図３Ａは、一次抗体インキュベーション後および二次抗体インキュベーション前に、熱殺工程を用いなかった対照実験を示す。図３Ｂは、一次抗体適用後であるが、二次抗体適用前の熱殺工程（１００℃で６分間のターゲット熱供給源温度）が、ＣＤ２０  ＩＨＣ染色を排除したことを示す。本実施例では、熱殺工程は、９７℃のターゲット熱供給源温度を含んだ。試料は、約９０秒間、ターゲット熱供給源温度にあった（試料はまた、約２．３分間、９０℃を超えていた）。機械が実際には１００℃にプログラムされていたが、実際に達成した温度は９７℃だったことに注目されたい。
【００９２】
[00104]実施例３：抗原／一次抗体／二次抗体複合体が形成された後の熱殺工程：熱殺工程後にヤギ抗ウサギＨＲＰを再適用することによって、１００℃で１２分間が抗原／一次抗体／二次抗体複合体（例えばＣＤ２０／ウサギ抗ＣＤ２０／ヤギ抗ウサギＨＲＰ）を不活性化可能であるかどうかを決定する。設計：扁桃腺／結腸症例上で、３つの濃度の一次抗体ＣＤ２０（１．０４、０．５２、および０．２６μｇ／ｍＬ）を試験する。結果を図４に示す。図４Ａは、熱殺工程を伴わない対照実験を示す（抗体濃度は１．０４μｇ／ｍＬであった）。図４Ｂは、一次抗体および二次抗体の適用後であるが、二次抗体の別の適用（およびそれに続くＤＡＢ検出）の前に行った、熱殺工程（９７℃のターゲット熱供給源温度）の結果を示す。図４Ｂの熱殺工程は、ヤギ抗ウサギＨＲＰをＤＡＢ検出とともに再適用した際に染色がないことによって立証されるように、抗原／一次抗体／二次抗体複合体を不活性化した。他の濃度の抗体（０．５２μｇ／ｍＬまたは０．２６μｇ／ｍＬ）を用いた際も結果は同じであった：ヤギ抗ウサギＨＲＰをＤＡＢ検出とともに再適用した際に染色がまったく観察されなかったため、上記の熱殺工程は、抗原／一次抗体／二次抗体複合体を不活性化した。
【００９３】
[00105]実施例４．１：２つのターゲット（ＣＤ２０およびＦｏｘＰ３）の検出間の熱殺工程：例えば、第二の染色サイクルにおいて、ＦｏｘＰ３シグナルがあり、そしてＣＤ２０シグナルがないことを立証することによって、熱殺条件が、第一の抗原−ＣＤ２０／一次抗体−ウサギ抗ＣＤ２０抗体／二次抗体−ヤギ抗ウサギＨＲＰ複合体を不活性化可能であるが、ＦｏｘＰ３（抗原−ＦｏｘＰ３／一次抗体−ウサギ抗ＦｏｘＰ３抗体／二次抗体−ヤギ抗ウサギＨＲＰ／ＤＡＢ）の検出を可能にするかどうかを決定する。設計：一次抗体−ウサギ抗ＣＤ２０抗体および二次抗体−ヤギ抗ウサギＨＲＰ複合体を適用し、次いで熱殺工程（９７℃のターゲット熱供給源温度）を実行し、次いで一次抗体−ウサギ抗ＦｏｘＰ３抗体および二次抗体−ヤギ抗ウサギＨＲＰを適用し、そして続いて検出工程を実行する（例えばＤＡＢ）。結果を図５に示す。図５Ａは、対照としてＣＤ２０染色を示す（熱殺工程なし、ＦｏｘＰ３染色なし）。図５Ｂは、対照としてＦｏｘＰ３染色を示す（熱殺工程なし、ＣＤ２０染色なし）。図５Ｃは、上述のような熱殺工程を用いた際のＦｏｘＰ３染色の結果を示す（例えばＣＤ２０一次および二次抗体を適用した後だが、ＦｏｘＰ３一次抗体を適用する前）。図５Ｃは、上述のような熱殺工程を用いた際、ＦｏｘＰ３が対照に匹敵する染色を示したことを示す。結果は、最初の染色サイクルにおける一次抗体−ウサギ抗ＣＤ２０抗体／二次抗体−ヤギ抗ウサギＨＲＰ複合体が、成功裡に不活性化され、したがって、一次抗体−ウサギ抗ＣＤ２０抗体（第一のサイクル）への二次抗体−ヤギ抗ウサギＨＲＰ（第二のサイクル）の交差反応性から生じるＣＤ２０染色はなかったことを示唆する。結果はまた、ＦｏｘＰ３抗原が熱殺工程によって負に影響を受けなかったことも示唆する。
【００９４】
[00106]実施例４．２：２つのターゲット（ＣＤ２０およびＣＤ３）の検出間の熱殺工程：熱殺条件が、第一の抗原−ＣＤ２０／一次抗体−ウサギ抗ＣＤ２０抗体／二次抗体−ヤギ抗ウサギＨＲＰ複合体を不活性化可能であるが、ＣＤ３（第二の抗原−ＣＤ３／一次抗体−ウサギ抗ＣＤ３／二次抗体−ヤギ抗ウサギＨＲＰ／ＤＡＢ）の検出を可能にするかどうか決定する、例えば、第二の染色サイクルにおいて、ＣＤ３シグナルがあるがＣＤ２０シグナルがないことを立証する。設計：一次抗体−ウサギ抗ＣＤ２０抗体および二次抗体−ヤギ抗ウサギＨＲＰ複合体を適用し、次いで、熱殺工程（９７℃のターゲット熱供給源温度）を行い、次いで第二の染色サイクル試薬（一次抗体−ウサギ抗ＣＤ３抗体、二次抗体−ヤギ抗ウサギＨＲＰおよびＤＡＢ）を適用する。結果：実施例４．１および図５のＦｏｘＰ３同様、ＣＤ３は熱殺工程の下で、対照に匹敵する染色を示した（データ未提示）。結果は、第一の染色サイクル中の一次抗体−ウサギ抗ＣＤ２０抗体／二次抗体−ヤギ抗ウサギＨＲＰ複合体が成功裡に不活性化され、したがって一次抗体−ウサギ抗ＣＤ２０抗体（第一のサイクル）への二次抗体−ヤギ抗ウサギＨＲＰ（第二のサイクル）の交差反応性からのＣＤ２０染色はないことを示唆する。結果はまた、ＣＤ３抗原が、熱殺工程によって負に影響を受けなかったことを示唆する。
【００９５】
[00107]実施例５：抗原（ＣＤ３、ＣＤ８、ＣＤ２０、ＣＤ６８、およびＦｏｘＰ３）に対する熱殺工程の影響：熱殺工程が抗原に対して負の影響を有するかどうかを評価する。設計：ＣＤ３、ＣＤ８、ＣＤ２０、ＣＤ６８およびＦｏｘＰ３ターゲット各々のＩＨＣ染色に対して、１〜５回の熱殺サイクルを試験した。図６は、５サイクルの熱殺工程（９７℃のターゲット熱供給源温度）の結果を示す。図６ＡはＣＤ３の対照染色を示す。図６Ｂは上述の熱殺工程の５サイクル後のＣＤ３染色を示す。ＣＤ３染色は、対照のものに匹敵した（熱殺工程はＣＤ３染色に負の影響を持たなかった）。図６Ｃは、ＣＤ８の対照染色を示す。図６Ｄは、上述の熱殺工程の５サイクル後のＣＤ８染色を示す。ＣＤ８染色は、対照のものに匹敵した（熱殺工程はＣＤ８染色に負の影響を持たなかった）。図６Ｅは、ＣＤ６８の対照染色を示す。図６Ｆは、上述の熱殺工程の５サイクル後のＣＤ６８染色を示す。ＣＤ６８染色は、対照のものに匹敵した（熱殺工程はＣＤ６８染色に負の影響を持たなかった）。
【００９６】
[00108]実施例６．１：核における複合体検出に対する熱殺工程の影響：熱殺が核において抗原−ＦｏｘＰ３／ウサギ抗ＦｏｘＰ３／ヤギ抗ウサギＨＲＰ複合体を不活性化可能であるかどうかを評価する（結腸試料中）。設計：多様な熱殺条件：９５℃のターゲット熱供給源温度（９５℃で約２．５分間）、９５℃のターゲット熱供給源温度（９５℃で約９．３分間）、１００℃のターゲット熱供給源温度（１００℃で約９０秒間）、および１００℃のターゲット熱供給源温度（１００℃で９０秒間より長く）を試験する。ＦｏｘＰ３（ウサギ）一次抗体を適用し（１μｇ／ｍＬ）、次いで二次抗体（ヤギ抗ウサギ−ＨＲＰ）を適用し、その後、熱殺工程を行う。次いで、二次抗体（ヤギ抗ウサギＨＲＰ）を再適用し、その後、検出する（ＤＡＢ）。結果（未提示）：以下の熱殺条件が抗原−ＦｏｘＰ３／ウサギ抗ＦｏｘＰ３／ヤギ抗ウサギＨＲＰ複合体を不活性化した（ＦｏｘＰ３染色は観察されなかった）：９５℃のターゲット熱供給源温度（９５℃で約２．５分間）、９５℃のターゲット熱供給源温度（９５℃で約９．３分間）、１００℃のターゲット熱供給源温度（１００℃で約９０秒間）、および１００℃のターゲット熱供給源温度（１００℃で９０秒間より長く）。これは、熱殺工程後に染色がなかったことで立証されるように、９５℃のターゲット熱供給源温度が十分である（例えば約２．５分間、９．３分間等）ことを立証する。本発明をいかなる理論または機構に限定することも望ましくないが、抗原の局在（例えば膜対核）ではなく、抗原の存在量が、必要とされる熱殺条件の厳しさを支配しうる可能性がある。例えば、より低い存在量の抗原（例えばＦｏｘＰ３）は、高い存在量の抗原（例えばＣＤ２０）と同程度に厳しい熱殺条件は必要としない可能性もある。
【００９７】
[00109]実施例６．２：細胞質における複合体検出に対する熱殺工程の影響：熱殺が、細胞質における抗原−ＣＤ６８／ウサギ抗ＣＤ６８／ヤギ抗ウサギＨＲＰ複合体を不活性化しうるかどうかを評価する（扁桃腺または結腸試料中）。設計：多様な熱殺条件を試験する。ＣＤ６８（ウサギ）一次抗体を適用し（１μｇ／ｍＬ）、次いで二次抗体（ヤギ抗ウサギＨＲＰ）を適用した後、熱殺工程を行う。次いで、二次抗体（ヤギ抗ウサギＨＲＰ）を再適用した後、検出する（ＤＡＢ）。結果（未提示）：以下の熱殺条件が抗原−ＣＤ６８／ウサギ抗ＣＤ６８／ヤギ抗ウサギＨＲＰ複合体を不活性化した（ＣＤ６８染色は観察されなかった）：９５℃のターゲット熱供給源温度（９５℃で約２．５分間）、９５℃のターゲット熱供給源温度（９５℃で約９．３分間）、１００℃のターゲット熱供給源温度（１００℃で約９０秒間）、および１００℃のターゲット熱供給源温度（１００℃で９０秒間より長く）。これは、熱殺工程後に染色がなかったことで立証されるように、９５℃のターゲット熱供給源温度が十分であることを立証する。本発明をいかなる理論または機構に限定することも望ましくないが、抗原の局在（例えば膜対核）ではなく、抗原の存在量が、必要とされる熱殺条件の厳しさを支配しうる。例えば、より低い存在量の抗原（例えばＣＤ６８）は、高い存在量の抗原（例えばＣＤ２０）と同程度に厳しい熱殺条件は必要としない可能性もある。
【００９８】
[00110]実施例７：他の緩衝剤での熱殺を評価する：他の緩衝剤（例えばＴｒｉｓに基づく反応緩衝剤）は、抗原（例えば膜マーカーＣＤ３、ＣＤ８およびＣＤ２０）に影響を有するかどうか評価する。設計：工程１：熱殺工程を試料に適用する（Ｔｒｉｓに基づく反応緩衝剤を用いた１サイクルの９５℃のターゲット熱供給源温度）。工程２：６μｇ／ｍＬ  ＣＤ３、ＣＤ８またはＣＤ２０（ウサギ）を用いて、マーカーに関して通常のＩＨＣを行い、次いでヤギ抗ウサギＨＲＰ、および検出のためのＤＡＢを適用する。結果（未提示）：１サイクルのＴｒｉｓに基づく反応緩衝剤での９５℃８分間は、対照に比較して、ＣＤ３、ＣＤ８およびＣＤ２０染色を減少させた。
【００９９】
[00111]実施例８：他のマーカーで、クエン酸緩衝剤での熱殺を評価する：クエン酸に基づく緩衝剤（例えばＶｅｎｔａｎａ  Ｍｅｄｉｃａｌ  Ｓｙｓｔｅｍｓ，  Ｉｎｃ．のＣＣ２）を用いて、多数の組織タイプ上の多数のマーカーに対する、熱殺工程の有効性をさらに確認した。設計：結腸上のＣＤ３（ＳＰ１６２）、乳房上のＨＥＲ２（４Ｂ５）、頭部および頸部ＳＣＣ上のケラチン５、乳房上のＫｉ−６７、乳房上のＥＲ、頭部および頸部ＳＣＣ上のＰＤＬ１（ＳＰ２６３）。
【０１００】
表２
【０１０１】
【表２】
2018514766.tif 000005
【０１０２】
[00112]結果を図７に示す。図７Ａは、結腸試料におけるＣＤ３染色を示す。上部左パネルは対照ＣＤ３染色を示す。上部右パネルは、ＣＤ３に対する一次抗体を用いない対照を示す。下部左パネルは、熱殺工程が８０℃のターゲット熱供給源温度を用いた際の結果を示す。下部右パネルは、熱殺工程が８５℃のターゲット熱供給源温度を用いた際の結果を示す。どちらの熱殺条件も有効であった。図７Ｂは、乳房試料におけるＨＥＲ２染色を示す。上部左パネルは対照ＨＥＲ２染色を示す。上部右パネルは、ＨＥＲ２に対する一次抗体を用いない対照を示す。下部左パネルは、熱殺工程が８０℃のターゲット熱供給源温度を用いた際の結果を示す。下部右パネルは、熱殺工程が８５℃のターゲット熱供給源温度を用いた際の結果を示す。どちらの熱殺条件も有効であった。図７Ｃは、頭部／頸部扁平上皮癌（ＨＮＳＣＣ）試料におけるケラチン５染色を示す。上部左パネルは対照ケラチン５染色を示す。上部右パネルは、熱殺工程が９０℃のターゲット熱供給源温度を用いた際の結果を示す。下部左パネルは、熱殺工程が９０℃のターゲット熱供給源温度を用いた際の結果を示す。下部右パネルは、熱殺工程が９５℃のターゲット熱供給源温度を用いた際の結果を示す。３つの熱殺条件は有効であった。図７Ｄは、乳房試料におけるＫｉ−６７染色を示す。上部左パネルは対照Ｋｉ−６７染色を示す。上部右パネルは、Ｋｉ−６７に対する一次抗体を用いない対照を示す。下部左パネルは、熱殺工程が８０℃のターゲット熱供給源温度を用いた際の結果を示す。下部右パネルは、熱殺工程が８５℃のターゲット熱供給源温度を用いた際の結果を示す。どちらの熱殺条件も有効であった。図７Ｅは、乳房試料におけるＥＲ染色を示す。左パネルは対照ＥＲ染色を示す。中央パネルは、熱殺工程が９０℃のターゲット熱供給源温度を用いた際の結果を示す。右パネルは、熱殺工程が９５℃のターゲット熱供給源温度を用いた際の結果を示す。どちらの熱殺条件も有効であった。図７Ｆは、ＨＮＳＣＣ試料におけるＰＤＬ１染色を示す。上部左パネルは対照ＰＤＬ１染色を示す。上部右パネルは、熱殺工程が８０℃のターゲット熱供給源温度を用いた際の結果を示す。下部左パネルは、熱殺工程が８５℃のターゲット熱供給源温度を用いた際の結果を示す。下部右パネルは、熱殺工程が９０℃のターゲット熱供給源温度を用いた際の結果を示す。３つの熱殺条件は有効であった。
【０１０３】
[00113]実施例９：フルオロフォア・コンジュゲート化ＴＳＡ検出に対する熱殺有効性を評価する：熱殺条件（クエン酸緩衝剤（ＣＣ２）、９７℃のターゲット熱供給源温度）がフルオロフォアコンジュゲート化ＴＳＡ（ＴＳＡ−蛍光）検出に対して働く（上述のようなＤＡＢ検出に加えて）ことを確認する。設計：ＣＤ２０（ウサギ、膜マーカー）初代抗体（１μｇ／ｍＬ）を適用し、次いで二次抗体（ヤギ抗ウサギＨＲＰ）を適用し、その後、１サイクルの熱殺工程（クエン酸緩衝剤（ＣＣ２）と９７℃のターゲット熱供給源温度を用いる）を行った。次いで、ＦｏｘＰ３（ウサギ、核マーカー）一次抗体（１μｇ／ｍｌ）を適用し、そして次いで、二次抗体（ヤギ抗ウサギＨＲＰ）を適用した後、ＴＳＡ−Ｃｙ５検出を行った。同じ二次抗体を使用することに注目されたい。図８は、結果を示す。図８Ａは、ＣＤ２０の対照染色を示す。図８Ｂは、対照ＦｏｘＰ３染色を示す。図８Ｃは、上述のように熱殺工程を行った後のＦｏｘＰ３染色を示す。上述のような熱殺工程（クエン酸緩衝剤（ＣＣ２）、９７℃のターゲット熱供給源温度）は、核染色（ＦｏｘＰ３）のみの存在によって立証されるように、ＣＤ２０／ＧａＲ−ＨＲＰ複合体を不活性化した。ＣＤ２０の指標である膜染色は観察されなかった。
【０１０４】
[00114]実施例１０：五重蛍光ＩＨＣ（同種一次抗体および抗種二次抗体を用いる）。熱殺条件（９０℃のターゲット熱供給源温度、５分間）を、各マーカーに対するウサギ一次抗体、各マーカーの二次抗体のためのヤギ抗ウサギＨＲＰ、および検出のためのフルオロフォアコンジュゲート化ＴＳＡ（ＴＳＡ−蛍光）（ＣＤ３に関するＴＳＡ−ＤＣＣ、ＣＤ８に関するＴＳＡ−テキサスレッド、ＣＤ２０に関するＴＳＡ−ＦＩＴＣ、ＣＤ６８に対するＴＳＡ−Ｒ６Ｇ、およびＦｏｘＰ３に対するＴＳＡ−Ｃｙ５）を用いて、五重（ＣＤ３、ＣＤ８、ＣＤ２０、ＣＤ６８、ＦｏｘＰ３）蛍光ＩＨＣアッセイ（扁桃腺試料上）に適用した。結果（未提示）：熱殺工程による同種一次抗体での完全自動化五重化の最初の実行は、働くことを示した。
【０１０５】
[00115]実施例１１：ＰＤ−Ｌ１での多重化アッセイにおける熱殺工程の評価：ＮＳＣＬＣ試料（ＮＳＣＬＣ症例１５０６３７）を、ＰＤ−Ｌ１抗体クローンＳＰ１４２、７μｇ／ｍｌを用いた多重化アッセイに用いた。多重化（五重化）アッセイにおいて、異なる順序で（例えば三番目、四番目）でＰＤ−Ｌ１抗体を試験した。以下の表３は、実行した１４の異なる実験を列挙する。ＰＤ−Ｌ１は、実験１〜３、７〜９、および１３において、三番目にあった。ＰＤ−Ｌ１は、実験２〜６、１０〜１２、および１４において、四番目にあった。９０１０３（他の「抗体」（Ａｂ１、Ａｂ２、Ａｂ３、Ａｂ４、Ａｂ５）として用いる）は、ＰＤ−Ｌ１抗体の希釈剤である（がＰＤ−Ｌ１抗体を含まない）ことに注目されたい。熱殺プロセスの有効性を、高感度および低自己蛍光の蛍光分子であるＲ６Ｇ、ならびに潜在的な続く蛍光分子シアニン５（Ｃｙ５）およびフルオレセインイソチオシアネート（ＦＩＴＣ）で評価した。表３に示す、第一の検出で用いる「検出分子」（蛍光１）はクエン酸であり、そして第二の検出（蛍光２）および第三の検出（蛍光３）はチラミド（チラミドシグナル増幅、ＴＳＡ）であった。実験１、４、７、１０、１３、および１４は、１６分間のＰＤ−Ｌ１インキュベーション時間を用いた。実験２、５、８、および１１は、２４分間のＰＤ−Ｌ１インキュベーション時間を用いた。実験３、６、９、および１２は、３２分間のＰＤ−Ｌ１インキュベーション時間を用いた。
【０１０６】
表３
【０１０７】
【表３−１】
2018514766.tif 000006
【０１０８】
【表３−２】
2018514766.tif 000007
【０１０９】
[00116]図９は、表３の実験３の結果を示す。図９Ａは、ＤＡＰＩ染色（核染色）を示す。図９Ｂは、自己蛍光（ＤＣＣ）（１００ｍｓ曝露）を示す。図９Ｃは、Ｒ６ＧでのＰＤ−Ｌ１陽性染色（別のスライド）を示す（染色は、膜の輪郭を示す）。図９Ｄは、本発明の熱殺／熱不活性化工程後、Ｒ６Ｇを用いたＰＤ−Ｌ１染色を示す（５００ｍｓ曝露）。５００ｍｓの長期曝露時間であっても、自己蛍光バックグラウンドレベルを超えては、交差反応シグナルは検出されなかった。結果は、表１の実験６および実験９に関して同じであった（データ未提示）。
【０１１０】
[00117]本発明が、本明細書で用いた特定のＰＤ−Ｌ１抗体に限定されないことに注目されたい。例えば、いくつかの態様において、ＰＤ−Ｌ１抗体はクローンＳＰ２６３である。また、本発明は、本明細書で用いた特定のインキュベーション時間（例えば１６分間、２４分間、３２分間）に限定されない。いくつかの態様において、抗体を、１６分間未満（例えば５分間、６分間、７分間、８分間、９分間、１０分間、１１分間、１２分間、１３分間、１５分間）インキュベーションする。いくつかの態様において、抗体を１６分より長く（例えば１７分間、１８分間、１９分間、２０分間、２１分間、２２分間、２３分間、２５分間、２６分間、２７分間、２８分間、２９分間、３０分間、３１分間）インキュベーションする。いくつかの態様において、抗体を３２分間より長くインキュベーションする。
【０１１１】
[00118]熱化学処理（熱不活性化）のための最適な条件は、いくつかの要因に応じうる。例えばより高い感度の検出系（例えばＴＳＡ、ＦＩＴＣ）が、よりストリンジェントなＨＤ条件の使用から利益を受ける可能性もある。いくつかの態様において、特定のマーカーが特定の組織または試料において高発現している場合、よりストリンジェントなＨＤ条件が有益である可能性もある。いくつかの態様において、抗体−ターゲット複合体が非常に安定である場合、よりストリンジェントなＨＤ条件が有益である可能性もある。したがって、抗体／マーカー特異的研究は、最適な熱化学処理（熱不活性化）条件を決定するために、有益である可能性もある。
【０１１２】
[00119]本明細書に記載するものに加えて、本発明の多様な修飾が、前述の説明から当業者には明らかであろう。こうした修飾もまた、付随する請求項の範囲内に属すると意図される。本出願に引用する各参考文献は、その全体が本明細書に援用される。
【０１１３】
[00120]本発明の好ましい態様を示し、そして記載してきているが、当業者には、付随する請求項の範囲を超えない修飾が実行可能であることが容易に明らかであろう。したがって、本発明の範囲は、以下の請求項によってのみ限定される。請求項で言及される参照番号は例示であり、そして特許庁が再検討するのを容易にするためのみのものであり、そしていかなる点でも限定するものではない。いくつかの態様において、本特許出願に提示する図は、角度、寸法比等を含めて、縮尺通りに描かれている。いくつかの態様において、図は例示のみであり、そして請求項は、図の寸法によって限定されない。いくつかの態様において、句「含む」を用いて本明細書に記載される本発明の記載には、「からなる」として記載可能である態様が含まれ、そしてこうしたものとして、句「からなる」を用いて、本発明の１またはそれより多い態様を請求するための明細書記載要件が満たされる。
【０１１４】
[00121]以下の請求項に言及する参照番号は、本特許出願の検討を容易にするためだけのものであり、そして例示であり、そしていかなる点でも、図中の対応する参照番号を有する特定の特徴に、請求項の範囲を限定することを意図されない。
【図１】
2018514766.tif 000008
【図２Ａ】
2018514766.tif 000009
【図２Ｂ】
2018514766.tif 000010
【図３Ａ】
2018514766.tif 000011
【図３Ｂ】
2018514766.tif 000012
【図４Ａ】
2018514766.tif 000013
【図４Ｂ】
2018514766.tif 000014
【図５Ａ】
2018514766.tif 000015
【図５Ｂ】
2018514766.tif 000016
【図５Ｃ】
2018514766.tif 000017
【図６Ａ】
2018514766.tif 000018
【図６Ｂ】
2018514766.tif 000019
【図６Ｃ】
2018514766.tif 000020
【図６Ｄ】
2018514766.tif 000021
【図６Ｅ】
2018514766.tif 000022
【図６Ｆ】
2018514766.tif 000023
【図７Ａ】
2018514766.tif 000024
【図７Ｂ】
2018514766.tif 000025
【図７Ｃ】
2018514766.tif 000026
【図７Ｄ】
2018514766.tif 000027
【図７Ｅ】
2018514766.tif 000028
【図７Ｆ】
2018514766.tif 000029
【図８Ａ】
2018514766.tif 000030
【図８Ｂ】
2018514766.tif 000031
【図８Ｃ】
2018514766.tif 000032
【図９Ａ】
2018514766.tif 000033
【図９Ｂ】
2018514766.tif 000034
【図９Ｃ】
2018514766.tif 000035
【図９Ｄ】
2018514766.tif 000036
【国際調査報告】
2018514766.tif 000037
2018514766.tif 000038
2018514766.tif 000039